(57)【要約】【課題】フラットケーブルを備えたワイヤハーネスを組立やすくするワイヤハーネスの組立方法を提供する。【解決手段】ワイヤハーネスはフラットケーブルとコネクタと配線用クリップを備えている。ステップＳ１ではフラットケーブルを切断しかつスリットを形成しコネクタハウジングに圧接端子を取り付けてステップＳ２に進む。ステップＳ２では圧接装置の突起をスリット内に挿入してフラットケーブルを位置決めして圧接端子に圧接してステップＳ２に進む。ステップＳ３ではスリット内にケーブル位置決め治具と外装品取り付け用治具の突起を挿入して布線板上にフラットケーブルを位置決めしてステップＳ４に進む。ステップＳ４ではスリット内に突起を通して配線用クリップをフラットケーブルに取り付けてステップＳ５に進む。ステップＳ５では外観検査と導通検査を施す。【選択図】      図１３
2004158308.tif 000002
【特許請求の範囲】
【請求項１】
複数のフラットケーブルと、前記フラットケーブルに取り付けられたコネクタと、複数のフラットケーブル同士を接続するジョイントコネクタと、前記フラットケーブルに取り付けられた外装品とを備えたワイヤハーネスを組み立てるワイヤハーネスの組立方法において、
フラットケーブルは、複数の電線と、互いに隣り合う電線同士を連結する連結部とを備えており、前記フラットケーブルの連結部にはそれぞれスリットが形成されており、
前記外装品は、表面上に前記フラットケーブルを位置付ける本体部と、前記本体部の表面から突出しかつ前記スリット内に侵入可能な突起とを備えており、
前記フラットケーブルにコネクタ及びジョイントコネクタを取り付けた後、
ワイヤハーネス製造用の布線板に設置されかつ前記フラットケーブルを前記布線板に位置決めする位置決め治具の表面上に前記フラットケーブルを位置付けて、前記表面から突出した第２突起を前記スリットに挿入するとともに、前記布線板に設置された結き具に布線して前記フラットケーブルを前記スリットが形成された箇所で曲げて布線板上に位置決めし、
前記外装品の突起を前記フラットケーブルのスリット内に挿入するとともに、フラットケーブルを前記本体部の表面上に位置付けて、前記外装品を前記フラットケーブルに取り付けることを特徴とするワイヤハーネスの組立方法。
【請求項２】
前記フラットケーブルの電線を前記コネクタ及びジョイントコネクタに取り付ける際には、前記コネクタ及びジョイントコネクタの圧接端子に圧接する圧接装置の位置決め部の表面上に前記フラットケーブルを位置付けて、前記表面から突出した第３突起を前記スリットに挿入して、前記電線が前記圧接端子に圧接可能となる位置に前記フラットケーブルを位置決めした後、前記フラットケーブルの電線を前記圧接端子に圧接して、フラットケーブルにコネクタを取り付けるとともに前記ジョイントコネクタでフラットケーブル同士を接続することを特徴とする請求項１記載のワイヤハーネスの組立方法。
【請求項３】
前記スリットは、前記フラットケーブルの長手方向に沿って延びた矩形状に形成されかつ前記フラットケーブルの幅方向に並んでいるとともに、
前記フラットケーブルの幅方向に沿って並んだ複数のスリットのうち少なくとも２つのスリットの端は、前記フラットケーブルの長手方向にずれており、
前記突起の平面形状は対応するスリットの形状に沿って矩形状に形成されており、少なくとも２つの突起の端は、フラットケーブルの長手方向にずれているとともに、対応するスリット内に侵入すると前記突起の端はスリットの端に合致し、
前記第２突起の平面形状は対応するスリットの形状に沿って矩形状に形成されており、少なくとも２つの第２突起の端は、フラットケーブルの長手方向にずれているとともに、対応するスリット内に侵入すると前記第２突起の端はスリットの端に合致し、
各突起を対応するスリット内に挿入してフラットケーブルを位置決めすることを特徴とする請求項１記載のワイヤハーネスの組立方法。
【請求項４】
前記スリットは、前記フラットケーブルの長手方向に沿って延びた矩形状に形成されかつ前記フラットケーブルの幅方向に並んでいるとともに、
前記フラットケーブルの幅方向に沿って並んだ複数のスリットのうち少なくとも２つのスリットの端は、前記フラットケーブルの長手方向にずれており、
前記第３突起の平面形状は対応するスリットの形状に沿って矩形状に形成されており、少なくとも２つの第３突起の端は、フラットケーブルの長手方向にずれているとともに、対応するスリット内に侵入すると前記第３突起の端はスリットの端に合致し、
各突起を対応するスリット内に挿入してフラットケーブルを位置決めすることを特徴とする請求項２記載のワイヤハーネスの組立方法。
【請求項５】
少なくとも一つの連結部には丸孔が貫通しており、
前記位置決め治具の表面から突出した突出ピンが設けられており、
各第２突起を対応するスリット内に挿入し、前記突出ピンを前記丸孔内に挿入して、フラットケーブルを位置決めすることを特徴とする請求項１または請求項３記載のワイヤハーネスの組立方法。
【請求項６】
少なくとも一つの連結部には丸孔が貫通しており、
前記位置決め部の表面から突出した第２突出ピンが設けられており、
各第３突起を対応するスリット内に挿入しかつ前記第２突出ピンを前記丸孔内に挿入して、前記位置決め部にフラットケーブルを位置決めすることを特徴とする請求項２または請求項４記載のワイヤハーネスの組立方法。
【請求項７】
前記位置決め治具の表面から突出した第２突起の両端は、対応するスリットの両端に合致することを特徴とする請求項１ないし請求項６のうちいずれか一項に記載のワイヤハーネスの組立方法。
【請求項８】
複数の電線と互いに隣り合う電線同士を連結しかつスリットが形成された連結部とを備えたフラットケーブルと、
前記フラットケーブルに取り付けられたコネクタと、
前記フラットケーブルに取り付けられた外装品とを備え、
前記スリットが形成された箇所で前記フラットケーブルが曲げられていることを特徴とするワイヤハーネス。
【発明の詳細な説明】
【０００１】
【発明の属する技術分野】
本発明は、移動体としての自動車などに配索されるワイヤハーネスの組立方法に関する。
【０００２】
【従来の技術】
移動体としての自動車には、種々の電子機器が搭載される。自動車は、これらの電子機器に電力や制御信号を伝送するためにワイヤハーネスを配索している。ワイヤハーネスは、複数の電線と、これらの電線に取り付けられたコネクタと、前記電線に取り付けられる配線用クリップなどの各種の外装品とを備えている。コネクタが電子機器のコネクタに結合して、ワイヤハーネスは、電子機器に電力や制御信号を伝送する。
【０００３】
前記コネクタは、絶縁性のコネクタハウジングと、導電性の板金などからなる圧接端子などを備えている。コネクタハウジングは、筒状に形成されている。圧接端子は、前記電線に取り付けられて、電線の芯線と電気的に接続する。コネクタは、前述した電子機器のコネクタに結合して、前記圧接端子などを介して、前記電線と電子機器とを電気的に接続する。
【０００４】
配線用クリップは、前記電線の所定位置に取り付けられる。配線用クリップは、前記電線に取り付けられる取付部と、自動車などの車体パネルなどに係止する係止部とを備えている。配線用クリップは、取付部が電線に取り付けられて、係止部が車体パネルに係止して、前記電線則ちワイヤハーネスを車体パネルなどに取り付ける。配線用クリップは、前記電線則ちワイヤハーネスを前記車体の所定位置に位置決めするとともに、電線則ちワイヤハーネスが走行中などの振動により振動することを防止する。
【０００５】
前述したワイヤハーネスを組み立てる際には、電線を所定の長さに切断するととともにコネクタハウジングに圧接端子を取り付ける。その後、電線を圧接端子に圧接して、前記電線にコネクタを取り付ける。そして、前述した電線を、平板状の布線板上に布線する。このとき、ワイヤハーネスを自動車などに配索するパターンどおりに電線を布線板に布線する。電線同士を他害に束ねるとともに、前記電線の所定位置に配線用クリップなどを取り付ける。その後、前述した電線などを布線板から取り外して、外観検査や導通検査を施して、前述した構成のワイヤハーネスを組み立てる。
【０００６】
【発明が解決しようとする課題】
前述した電線として、複数の電線同士が連結部により一体に形成されたフラットケーブルを用いることがある。フラットケーブルは、互いに平行な複数の電線と、互いに隣り合う電線同士を連結する絶縁性の連結部と、を備えている。電線は、導電性の芯線と、芯線を被覆する絶縁性の被覆部とを備えている。芯線は、複数の導線が撚られて構成されている。被覆部と連結部とは、合成樹脂からなり互いに一体に成形されている。フラットケーブルは、前述した芯線と被覆部と連結部とを備えて帯状に形成されている。一つの芯線と、この芯線を被覆する被覆部とで、前述した電線をなしている。これらの電線は、勿論可撓性を有している。
【０００７】
前述したフラットケーブルは、複数本の電線が一体となっているため、弾性復元力が強くなる。このため、フラットケーブルを用いたワイヤハーネスを組み立てる際には、フラットケーブルの弾性復元力が強いため電線を所定の位置に位置決めしにくかった。このため、電線を布線板に布線しにくくなる。このため、ワイヤハーネスが組立にくくなることが考えられる。さらに、フラットケーブルの弾性復元力が強いため、ワイヤハーネスを自動車などに配索しにくかった。
【０００８】
したがって、本発明の目的は、フラットケーブルを備えたワイヤハーネスを組立やすくするワイヤハーネスの組立方法及びワイヤハーネスを提供することにある。
【０００９】
【課題を解決するための手段】
前記課題を解決し目的を達成するために、請求項１に記載の本発明のワイヤハーネスの組立方法は、複数のフラットケーブルと、前記フラットケーブルに取り付けられたコネクタと、複数のフラットケーブル同士を接続するジョイントコネクタと、前記フラットケーブルに取り付けられた外装品とを備えたワイヤハーネスを組み立てるワイヤハーネスの組立方法において、フラットケーブルは、複数の電線と、互いに隣り合う電線同士を連結する連結部とを備えており、前記フラットケーブルの連結部にはそれぞれスリットが形成されており、前記外装品は、表面上に前記フラットケーブルを位置付ける本体部と、前記本体部の表面から突出しかつ前記スリット内に侵入可能な突起とを備えており、前記フラットケーブルにコネクタ及びジョイントコネクタを取り付けた後、ワイヤハーネス製造用の布線板に設置されかつ前記フラットケーブルを前記布線板に位置決めする位置決め治具の表面上に前記フラットケーブルを位置付けて、前記表面から突出した第２突起を前記スリットに挿入するとともに、前記布線板に設置された結き具に布線して前記フラットケーブルを前記スリットが形成された箇所で曲げて布線板上に位置決めし、前記外装品の突起を前記フラットケーブルのスリット内に挿入するとともに、フラットケーブルを前記本体部の表面上に位置付けて、前記外装品を前記フラットケーブルに取り付けることを特徴としている。
【００１０】
請求項２に記載の本発明のワイヤハーネスの組立方法は、請求項１記載のワイヤハーネスの組立方法において、前記フラットケーブルの電線を前記コネクタ及びジョイントコネクタに取り付ける際には、前記コネクタ及びジョイントコネクタの圧接端子に圧接する圧接装置の位置決め部の表面上に前記フラットケーブルを位置付けて、前記表面から突出した第３突起を前記スリットに挿入して、前記電線が前記圧接端子に圧接可能となる位置に前記フラットケーブルを位置決めした後、前記フラットケーブルの電線を前記圧接端子に圧接して、フラットケーブルにコネクタを取り付けるとともに前記ジョイントコネクタでフラットケーブル同士を接続することを特徴としている。
【００１１】
請求項３に記載の本発明のワイヤハーネスの組立方法は、請求項１記載のワイヤハーネスの組立方法において、前記スリットは、前記フラットケーブルの長手方向に沿って延びた矩形状に形成されかつ前記フラットケーブルの幅方向に並んでいるとともに、前記フラットケーブルの幅方向に沿って並んだ複数のスリットのうち少なくとも２つのスリットの端は、前記フラットケーブルの長手方向にずれており、前記突起の平面形状は対応するスリットの形状に沿って矩形状に形成されており、少なくとも２つの突起の端は、フラットケーブルの長手方向にずれているとともに、対応するスリット内に侵入すると前記突起の端はスリットの端に合致し、前記第２突起の平面形状は対応するスリットの形状に沿って矩形状に形成されており、少なくとも２つの第２突起の端は、フラットケーブルの長手方向にずれているとともに、対応するスリット内に侵入すると前記第２突起の端はスリットの端に合致し、各突起を対応するスリット内に挿入してフラットケーブルを位置決めすることを特徴としている。
【００１２】
請求項４に記載の本発明のワイヤハーネスの組立方法は、請求項２記載のワイヤハーネスの組立方法において、前記スリットは、前記フラットケーブルの長手方向に沿って延びた矩形状に形成されかつ前記フラットケーブルの幅方向に並んでいるとともに、前記フラットケーブルの幅方向に沿って並んだ複数のスリットのうち少なくとも２つのスリットの端は、前記フラットケーブルの長手方向にずれており、前記第３突起の平面形状は対応するスリットの形状に沿って矩形状に形成されており、少なくとも２つの第３突起の端は、フラットケーブルの長手方向にずれているとともに、対応するスリット内に侵入すると前記第３突起の端はスリットの端に合致し、各突起を対応するスリット内に挿入してフラットケーブルを位置決めすることを特徴としている。
【００１３】
請求項５に記載の本発明のワイヤハーネスの組立方法は、請求項１または請求項３記載のワイヤハーネスの組立方法において、少なくとも一つの連結部には丸孔が貫通しており、前記位置決め治具の表面から突出した突出ピンが設けられており、各第２突起を対応するスリット内に挿入し、前記突出ピンを前記丸孔内に挿入して、フラットケーブルを位置決めすることを特徴としている。
【００１４】
請求項６に記載の本発明のワイヤハーネスの組立方法は、請求項２または請求項４記載のワイヤハーネスの組立方法において、少なくとも一つの連結部には丸孔が貫通しており、前記位置決め部の表面から突出した第２突出ピンが設けられており、各第３突起を対応するスリット内に挿入しかつ前記第２突出ピンを前記丸孔内に挿入して、前記位置決め部にフラットケーブルを位置決めすることを特徴としている。
【００１５】
請求項７に記載の本発明のワイヤハーネスの組立方法は、請求項１ないし請求項６のうちいずれか一項に記載のワイヤハーネスの組立方法において、前記位置決め治具の表面から突出した第２突起の両端は、対応するスリットの両端に合致することを特徴としている。
【００１６】
請求項８に記載の本発明のワイヤハーネスは、複数の電線と互いに隣り合う電線同士を連結しかつスリットが形成された連結部とを備えたフラットケーブルと、前記フラットケーブルに取り付けられたコネクタと、前記フラットケーブルに取り付けられた外装品とを備え、前記スリットが形成された箇所で前記フラットケーブルが曲げられていることを特徴としている。
【００１７】
請求項１に記載された本発明によれば、フラットケーブルの連結部を貫通したスリット内に、第２突起を挿入してフラットケーブルを位置決めする。このため、布線板上に確実に電線を位置決めできる。また、結き具に布線しかつスリットが形成された箇所でフラットケーブルを曲げる。スリットが形成された箇所では、フラットケーブルの剛性が低下する。このため、フラットケーブルを布線板上に容易でかつ確実に布線できる。さらに、突起をスリット内に挿入して、フラットケーブルに外装品を取り付けるため、外装品と電線とを確実に所定の位置関係に位置決めできる。
【００１８】
なお、本明細書に記した外装品とは、電線に取り付けられてワイヤハーネスを構成する各種の部品を示している。具体的には、外装品とは、ハーネス用プロテクタ、配線用クリップなどである。
【００１９】
請求項２に記載された本発明によれば、フラットケーブルの連結部を貫通したスリット内に、第３突起を挿入してフラットケーブルを位置決めする。このため、電線を圧接端子に圧接可能となる位置に確実に位置決めできる。
【００２０】
請求項３に記載された本発明によれば、スリットの端が長手方向にずれており、各突起が対応するスリット内に侵入すると、突起の端がスリットの端に合致する。このため、表裏を誤ることなく、フラットケーブルを確実に位置決めできる。さらに、長手方向と幅方向にフラットケーブルを位置決めできるとともに、フラットケーブル同士の間違い則ちフラットケーブルの誤組み付けを防止できる。
【００２１】
請求項４に記載された本発明によれば、スリットの端が長手方向にずれており、第３突起が対応するスリット内に侵入すると、第３突起の端がスリットの端に合致する。このため、表裏を誤ることなく、フラットケーブルを確実に位置決めできる。したがって、電線が圧接端子に圧接可能となる位置にフラットケーブルを確実に位置決めできる。
【００２２】
請求項５に記載された本発明によれば、位置決め部材の表面から突出した突出ピンをフラットケーブルの連結部を貫通した丸孔内に通して、フラットケーブルを位置決めする。このため、フラットケーブルを所定の位置に確実に位置決めできるとともに、表裏を誤ることなく、フラットケーブルを確実に位置決めできる。さらに、長手方向と幅方向にフラットケーブルを位置決めできるとともに、フラットケーブル同士の間違い則ちフラットケーブルの誤組み付けを防止できる。
【００２３】
請求項６に記載された本発明によれば、位置決め部の表面から突出した第２突出ピンをフラットケーブルの連結部を貫通した丸孔内に通して、フラットケーブルを位置決めする。このため、フラットケーブルを所定の位置に確実に位置決めできるとともに、表裏を誤ることなく、フラットケーブルを確実に位置決めできる。したがって、電線が圧接端子に圧接可能となる位置にフラットケーブルを確実に位置決めできる。
【００２４】
請求項７に記載された本発明によれば、位置決め治具の第２突起の両端と、スリットの両端とが合致する。このため、布線板に確実にフラットケーブルを位置決めできるとともに、布線板上に位置決めしたフラットケーブルが位置ずれすることを防止できる。
【００２５】
請求項８に記載された本発明によれば、フラットケーブルの連結部にスリットが形成されている。スリットが形成された箇所では、フラットケーブルの剛性が低下している。このため、スリットが形成された箇所で曲げられているため、ワイヤハーネス製造用の布線板に容易に布線できるとともに自動車などに容易に配索できる。
【００２６】
【発明の実施の形態】
以下、本発明の一実施形態にかかるワイヤハーネスの組立方法及びワイヤハーネスを、図１ないし図６８を参照して説明する。本発明の一実施形態にかかるワイヤハーネスの組立方法は、図１に示すワイヤハーネス１を組み立てる方法である。ワイヤハーネス１は、移動体としての自動車に配索される。ワイヤハーネス１は、図１に示すように、フラットケーブル２ａ，２ｂと、コネクタ１２０と、ランプユニット２７０と、ジョイントコネクタ２０３と、外装品としての配線用クリップ３００とを備えている。このため、ワイヤハーネス１は、複数のフラットケーブル２ａ，２ｂを備えている。
【００２７】
フラットケーブル２ａ，２ｂは、図２及び図３に示すように、扁平な帯状に形成されており、互いに平行な複数の電線６と、隣り合う電線６同士を連結する連結部５とを備えている。電線６は、図４及び図５に示すように、導電性の芯線３と、芯線３を被覆する被覆部４とを備えている。
【００２８】
芯線３は、導電性の金属からなる導線が複数撚られて形成されている。芯線３は、その長手方向に交差する断面形状が丸形に形成されている。被覆部４は、絶縁性の合成樹脂からなる。被覆部４は、芯線３の長手方向に交差する断面形状が円管状に形成されている。芯線３と被覆部４とで、電線６は、断面丸形に形成されている。
【００２９】
連結部５は、互いに隣り合う被覆部４同士を連結している。連結部５は、平板状に形成されている。被覆部４と連結部５とは一体である。連結部５の厚みは、電線６の外径より薄い。図２及び図４に示すフラットケーブル２ａは、電線６を４本備え、連結部５を３本備えている。図３及び図５に示すフラットケーブル２ｂは、電線６を３本備え、連結部５を２本備えている。
【００３０】
さらに、前述したフラットケーブル２ａには、複数の切欠き７と、複数の貫通孔８と、丸孔９とが形成されている。切欠き７は、フラットケーブル２ａの端末に位置する連結部５を切り欠いている。切欠き７の平面形状は、矩形状に形成されている。切欠き７の長手方向は、フラットケーブル２ａの長手方向に沿っている。
【００３１】
切欠き７は、フラットケーブル２ａの端から該フラットケーブル２ａの中央部に向かって連結部５を切り欠いている。このため、複数の切欠き７は、フラットケーブル２ａの幅方向に沿って並んでいる。複数の切欠き７のうち図２中最も奥に位置する切欠き７（以下符号７ａで示す）は、他の２つの切欠き７（以下符号７ｂで示す）より長い。このため、切欠き７ａのフラットケーブル２ａの中央部寄りの端と、切欠き７ｂのフラットケーブル２ａの中央部寄りの端とは、フラットケーブル２ａの幅方向に沿って並ばずに、フラットケーブル２ａの長手方向にずれている。
【００３２】
貫通孔８は、フラットケーブル２ａの中央部に設けられている。貫通孔８は、フラットケーブル２ａの中央部に位置する連結部５を貫通している。なお、本明細書でいう中央部とは、フラットケーブル２ａの端末を除く部分である。貫通孔８の平面形状は、矩形状に形成されている。貫通孔８の長手方向は、フラットケーブル２ａの長手方向に沿っている。
【００３３】
複数の貫通孔８は、フラットケーブル２ａの幅方向に沿って並んでいる。貫通孔８の長さは、互いに等しい。図示例では、３つ設けられた貫通孔８のうち図２中最も奥に位置する貫通孔８（以下符号８ａで示す）と、他の２つの貫通孔８（以下符号８ｂで示す）とは、フラットケーブル２ａの長手方向にずれている。このため、貫通孔８ａのフラットケーブル２ａの両端と、貫通孔８ｂの両端とは、フラットケーブル２ａの幅方向に沿って並ばずに、フラットケーブル２ａの長手方向にずれている。３つの貫通孔８ａ，８ｂで一組となっている。貫通孔８ａ，８ｂは、フラットケーブル２ａの長手方向に沿って複数組設けられている。これら切欠き７ａ，７ｂと貫通孔８ａ，８ｂとは、本明細書に記したスリットをなしている。
【００３４】
丸孔９は、貫通孔８ａが形成された連結部５に設けられている。丸孔９は、連結部５を貫通しており、平面形状が丸形に形成されている。丸孔９は、貫通孔８ａの近傍に配されている。
【００３５】
また、前述したフラットケーブル２ｂには、複数の切欠き２０７と、複数の貫通孔２０８と、丸孔２０９とが形成されている。切欠き２０７は、フラットケーブル２ｂの端末に位置する連結部５を切り欠いている。切欠き２０７の平面形状は、矩形状に形成されている。切欠き２０７の長手方向は、フラットケーブル２ｂの長手方向に沿っている。
【００３６】
切欠き２０７は、フラットケーブル２ｂの端から該フラットケーブル２ｂの中央部に向かって連結部５を切り欠いている。このため、複数の切欠き２０７は、フラットケーブル２ｂの幅方向に沿って並んでいる。複数の切欠き２０７のうち図３中奥に位置する切欠き２０７（以下符号２０７ａで示す）は、他の切欠き２０７（以下符号２０７ｂで示す）より短い。このため、切欠き２０７ａのフラットケーブル２ｂの中央部寄りの端と、切欠き２０７ｂのフラットケーブル２ｂの中央部寄りの端とは、フラットケーブル２ｂの幅方向に沿って並ばずに、フラットケーブル２ｂの長手方向にずれている。
【００３７】
貫通孔２０８は、フラットケーブル２ｂの中央部に設けられている。貫通孔２０８は、フラットケーブル２ｂの中央部に位置する連結部５を貫通している。なお、本明細書でいう中央部とは、フラットケーブル２ｂの端末を除く部分である。貫通孔２０８の平面形状は、矩形状に形成されている。貫通孔２０８の長手方向は、フラットケーブル２ｂの長手方向に沿っている。
【００３８】
複数の貫通孔２０８は、フラットケーブル２ｂの幅方向に沿って並んでいる。貫通孔２０８の長さは、互いに等しい。図示例では、２つ設けられた貫通孔２０８のうち図３中奥に位置する貫通孔２０８（以下符号２０８ａで示す）と、他の貫通孔２０８（以下符号２０８ｂで示す）とは、フラットケーブル２ｂの長手方向にずれている。このため、貫通孔２０８ａのフラットケーブル２ｂの両端と、貫通孔２０８ｂの両端とは、フラットケーブル２ｂの幅方向に沿って並ばずに、フラットケーブル２ｂの長手方向にずれている。２つの貫通孔２０８ａ，２０８ｂで一組となっている。貫通孔２０８ａ，２０８ｂは、フラットケーブル２ｂの長手方向に沿って複数組設けられている。これら切欠き２０７ａ，２０７ｂと貫通孔２０８ａ，２０８ｂとは、本明細書に記したスリットをなしている。
【００３９】
丸孔２０９は、貫通孔２０８ａが形成された連結部５に設けられている。丸孔２０９は、連結部５を貫通しており、平面形状が丸形に形成されている。丸孔２０９は、貫通孔２０８ａの近傍に配されている。
【００４０】
また、前述したフラットケーブル２ａ，２ｂの貫通孔８ａ，８ｂ，２０８ａ，２０８ｂが形成された箇所は、他の箇所より剛性が低下しており、曲げ易くなっている。
【００４１】
コネクタ１２０は、図６及び図８に示すように、コネクタハウジング１０１と、圧接端子１００とを備えている。コネクタハウジング１０１は、絶縁性の合成樹脂からなる。コネクタハウジング１０１は、図８に示すように、端子収容部１１３と、この端子収容部１１３とヒンジを介して連結されたカバー１１４と、を備えている。
【００４２】
端子収容部１１３は、略矩形状のプレート部１１５と、複数の端子収容溝１０２と、プレート部１１５と間隔をあけて相対する天井壁１１６と、を備えている。プレート部１１５は、端子収容溝１０２内に挿入された圧接端子１００が抜け出ることを防止する図示しないロック溝やロックアームを備えている。
【００４３】
端子収容溝１０２は、それぞれプレート部１１５の表面から凹に形成されかつ並設されている。端子収容溝１０２は、略直線状に延びている。該端子収容溝１０２には、その長手方向に沿って圧接端子１００が挿入される。なお、図示例では、端子収容溝１０２は、４つ設けられている。
【００４４】
天井壁１１６は、平面形状が略矩形状に形成されている。天井壁１１６は、端子収容溝１０２内に収容した圧接端子１００の電線接続部１０４を露出させかつ電気接触部１０３を覆う。また、プレート部１１５の天井壁１１６から離れた縁部には、外方向に向かって突出した係合突起１１７が設けられている。
【００４５】
カバー１１４は、端子収容部１１３の端子収容溝１０２に合致する電線保持用の突条１１８を複数備えている。カバー１１４は、係合突起１１７に係合可能なカバーロックアーム１１９を備えている。カバー１１４は、前記天井壁１１６の縁部に設けられた図示しないヒンジによって、端子収容部１１３に対し回動自在となっている。
【００４６】
さらに、前述したコネクタハウジング１０１は、組み立て前の状態では、端子収容部１１３の端子収容溝１０２とカバー１１４の突条１１８とが、同じ向きに開口部が位置した状態で、図１９に示すバンド１２１によって連結されている。即ち、カバー１１４が端子収容部１１３に対し裏返った状態で、端子収容部１１３とカバー１１４とはバンド１２１によって連結されている。
【００４７】
圧接端子１００は、導電性を有する板金などが曲げられるなどして得られる。圧接端子１００は、図７に示すように、電気接触部１０３と、電線接続部１０４と、を備えている。
【００４８】
電気接触部１０３は、筒状の筒部１０５と、図示しない雄端子と接続するための弾性接触片１０６と、コネクタハウジング１０１に係合するためのランス１０７と、を備えている。筒部１０５は、電線接続部１０４の後述する壁１０８と側壁１０９とに連なっている。弾性接触片１０６は、筒部１０５内に設けられ、筒部１０５内に侵入した雄端子を筒部１０５の内面に向かって付勢して、前記雄端子が筒部１０５から抜けでないようにする。
【００４９】
ランス１０７は、帯状に形成されかつ筒部１０５の外面側に設けられている。ランス１０７は、一端部が筒部１０５と連なっているとともに他端部が筒部１０５から接離するように弾性変形自在となっている。ランス１０７は、コネクタハウジング１０１に係合して、圧接端子１００が端子収容溝１０２内から抜け出ることを防止する。
【００５０】
電線接続部１０４は、電線６が載置される壁１０８と、一対の側壁１０９と、圧接部１０４ａと、一対の加締め片１１２と、を備えている。壁１０８は、表面が略平坦な帯板状に形成されている。側壁１０９は、それぞれ、壁１０８の幅方向の両縁に連なっている。側壁１０９は、それぞれ壁１０８に対し立設しているとともに、互いに相対している。
【００５１】
圧接部１０４ａは、三対の圧接刃１１１ａ，１１１ｂ，１１１ｃを備えている。三対の圧接刃１１１ａ，１１１ｂ，１１１ｃは、それぞれ、壁１０８に対し立設している。一対の圧接刃１１１ａは、側壁１０９から互いに近づく方向に突出している。一対の圧接刃１１１ａは、互いに間隔をあけて並べられている。一対の圧接刃１１１ａは、互いの間に電線６を圧入することにより、フラットケーブル２ａの各電線６の被覆部４を切り込んで該電線６の芯線３と接触する。
【００５２】
一対の圧接刃１１１ｂは、側壁１０９から互いに近づく方向に突出している。一対の圧接刃１１１ｂは、互いに間隔をあけて並べられている。一対の圧接刃１１１ｂは、互いの間に電線６を圧入することにより、電線６の被覆部４を切り込んで該電線６の芯線３と接触する。一対の圧接刃１１１ｃは、側壁１０９から互いに近づく方向に突出している。一対の圧接刃１１１ｃは、互いに間隔をあけて並べられている。一対の圧接刃１１１ｃは、互いの間に電線６を圧入することにより、電線６の被覆部４を切り込んで該電線６の芯線３と接触する。三対の圧接刃１１１ａ，１１１ｂ，１１１ｃは、前記電線６と電気的に接続する。即ち、三対の圧接刃１１１ａ，１１１ｂ，１１１ｃは、電線６と圧接する。
【００５３】
一対の加締め片１１２は、壁１０８の幅方向の両縁に連なっている。一対の加締め片１１２は、それぞれ、壁１０８に対し立設している。一対の加締め片１１２は、互いに間隔をあけて相対している。加締め片１１２は、壁１０８に向かって曲げられることにより、壁１０８との間に電線６を挟む。即ち、一対の加締め片１１２は、電線６を加締める。こうして、一対の加締め片１１２は、電線６を電線接続部１０４に固定する。
【００５４】
前述したコネクタハウジング１０１と圧接端子１００とで構成されるコネクタ１２０は、フラットケーブル２ａの端末に取り付けられる。フラットケーブル２ａの端末にコネクタ１２０を取り付ける際には、まず、端子収容溝１０２の長手方向に沿って、該端子収容溝１０２内に圧接端子１００を挿入する。ランス１０７がコネクタハウジング１０１に係合するなどして、圧接端子１００は、端子収容溝１０２内に収容された状態で、コネクタハウジング１０１に固定される（取り付ける）。
【００５５】
その後、図１６及び図１７などに示す圧接装置１５０で、フラットケーブル２ａの各電線６をコネクタハウジング１０１の各端子収容溝１０２に取り付けた圧接端子１００に圧接する。電線６を圧接すると同時に、圧接装置１５０は、加締め片１１２を壁１０８に向かって曲げて、電線６を加締め片１１２で加締める。さらに、圧接装置１５０は、前記バンド１２１をコネクタハウジング１０１から除去する。こうして、圧接装置１５０は、電線６を圧接端子１００に固定する（取り付ける）。そして、作業員などが、ヒンジを中心として図６中の矢印Ｋに沿ってカバー１１４を回転する。カバーロックアーム１１９を係合突起１１７に係合して、端子収容部１１３とカバー１１４とを互いに固定する。
【００５６】
また、前述したフラットケーブル２ａの互いに隣り合う電線６の中心線Ｐ１相互間の第１の間隔Ｄ１と、コネクタハウジング１０１に取り付けられた互いに隣り合う圧接端子１００の中心線Ｐ２相互間の第２の間隔Ｄ２は、図６に示すように、異なっている。第１の間隔Ｄ１は、電線６の中心間の間隔である。第２の間隔Ｄ２は、圧接端子１００の中心間の間隔である。
【００５７】
なお、図示例では、圧接端子１００の中心線Ｐ２相互間の第２の間隔Ｄ２は、フラットケーブル２ａの電線６の中心線Ｐ１相互間の第１の間隔Ｄ１より大きい。圧接端子１００の中心線Ｐ２とは、該圧接端子１００の厚みと幅と二等分するとともに、この圧接端子１００に圧接される電線６の長手方向に沿っている。フラットケーブル２ａの電線６の中心線Ｐ１とは、該電線６の断面における中心を通りかつ該電線６の長手方向に沿っている。
【００５８】
ランプユニット２７０は、本明細書に記したコネクタをなしている。ランプユニット２７０は、移動体としての自動車のルーフトリム又はドアトリムの内装用壁材に取り付けられて、前記自動車の乗員室を照明するものである。ランプユニット２７０は、図９及び図１０に示すように、コネクタハウジング２７１と、バルブ２７２と、圧接端子としてのバスバ２７３（図１０に示す）と、カバー２７６と、を備えている。
【００５９】
コネクタハウジング２７１は、絶縁性の合成樹脂からなり平板状に形成されている。バルブ２７２は、コネクタハウジング２７１に取り付けられている。バルブ２７２は、バスバ２７３などを介してフラットケーブル２ｂなどから供給される電力などにより点灯する。
【００６０】
バスバ２７３は、導電性の板金などからなる。バスバ２７３は、コネクタハウジング２７１に取り付けられる。バスバ２７３は、コネクタハウジング２７１に取り付けられると、バルブ２７２と電気的に接続する。バスバ２７３は、図１０に示すように、複数の圧接部２７４を備えている。圧接部２７４は、バスバ２７３がコネクタハウジング２７１に取り付けられると、このコネクタハウジング２７１の表面から立設した一対の圧接刃２７５を備えている。
【００６１】
一対の圧接刃２７５は、互いに間隔をあけて配されかつ互いの表面が同一平面上に位置している。一対の圧接刃２７５は、互いの間にフラットケーブル２ｂの電線６が圧入される。一対の圧接刃２７５は、互いの間にフラットケーブル２ｂの電線６が圧入されると、該電線６の被覆部４を切り込んで、芯線３と接触する（電気的に接続する）。バスバ２７３は、圧接刃２７５間則ち圧接部２７４にフラットケーブル２ｂの電線６が圧接されると、フラットケーブル２ｂの各電線６とバルブ２７２とを予め定められるパターンにしたがって電気的に接続する。
【００６２】
カバー２７６は、絶縁性の合成樹脂からなりコネクタハウジング２７１に着脱自在となっている。カバー２７６は、コネクタハウジング２７１に取り付けられると、バスバ２７３の圧接部２７４則ち圧接刃２７５を覆う。
【００６３】
前述した構成のランプユニット２７０は、図１０に示すように、コネクタハウジング２７１にバスバ２７３とバルブ２７２とを取り付けた状態で、後述の圧接装置２０１（図４４に示す）により、バスバ２７３の圧接部２７４にフラットケーブル２ａ，２ｂの電線６が圧接される。ランプユニット２７０は、フラットケーブル２ａ，２ｂに取り付けられる。そして、図９に示すように、カバー２７６がコネクタハウジング２７１に取り付けられて、ランプユニット２７０は組み立てられる。
【００６４】
ジョイントコネクタ２０３は、フラットケーブル２ａの中央部と、フラットケーブル２ｂの端末とを接続して、これらフラットケーブル２ａ，２ｂの電線６同士を予め定められるパターンにしたがって電気的に接続するものである。ジョイントコネクタ２０３は、図４５（ａ）及び図４５（ｂ）に示すように、コネクタハウジング２０３ａと、ジョイント用圧接端子２２１と、カバー２６５（図６０及び図６１に示す）とを備えている。コネクタハウジング２０３ａは、絶縁性の合成樹脂からなり平板状に形成されている。
【００６５】
ジョイント用圧接端子２２１は、板金を折り曲げて得られ、図４５（ｂ）に示すように、第１圧接部２３８ａと、第２圧接部２３８ｂと、これら圧接部２３８ａ，２３８ｂを互いに連結する連結部２２０とを備えている。第１圧接部２３８ａは、複数対の圧接刃２１７を備えている。圧接刃２１７は、二対設けられている。対の圧接刃２１７は、互いに間隔をあけて配されかつ互いの表面が同一平面上に位置している。対の圧接刃２１７は、互いの間にフラットケーブル２ａの電線６が圧入される。対の圧接刃２１７は、互いの間にフラットケーブル２ａの電線６が圧入されると、電線６の被覆部４を切り込んで、芯線３と接触する（電気的に接続する）。二対の圧接刃２１７は、フラットケーブル２ａの長手方向に沿って、並べられている。
【００６６】
第２圧接部２３８ｂは、複数対の圧接刃２１８を備えている。圧接刃２１８は、二対設けられている。対の圧接刃２１８は、互いに間隔をあけて配されかつ互いの表面が同一平面上に位置している。対の圧接刃２１８は、互いの間にフラットケーブル２ｂの電線６が圧入される。対の圧接刃２１８は、互いの間にフラットケーブル２ｂの電線６が圧入されると、電線６の被覆部４を切り込んで、芯線３と接触する（電気的に接続する）。二対の圧接刃２１８は、フラットケーブル２ｂの長手方向に沿って、並べられている。
【００６７】
こうして、各圧接刃（圧接部）２１７，２１８の表面が互いに直交する状態で、ジョイント用圧接端子２２１は、図４５（ｂ）に示すように、二対の圧接刃（圧接部）２１７，２１８を配している。ジョイント用圧接端子２２１は、これらの圧接刃２１７，２１８を連結部２２０で連結している。
【００６８】
カバー２６５は、コネクタハウジング２０３ａに取り付けられる。カバー２６５は、コネクタハウジング２０３ａに取り付けられると、このコネクタハウジング２０３ａに取り付けられたジョイント用圧接端子２２１の圧接刃２１７，２１８を覆う。
【００６９】
前述した構成のジョイントコネクタ２０３は、コネクタハウジング２０３ａにジョイント用圧接端子２２１が取り付けられる。そして、図４４に示す圧接装置２０１により、第１圧接部２３８ａ則ち圧接刃２１７にフラットケーブル２ａの電線６が圧接され、第２圧接部２３８ｂ則ち圧接刃２１６にフラットケーブル２ｂの電線６が圧接される。そして、コネクタハウジング２０３ａにカバー２６５が取り付けられて、前述した構成のジョイントコネクタ２０３は、組み立てられる。すると、ジョイント用圧接端子２２１則ちジョイントコネクタ２０３は、フラットケーブル２ａの中央部とフラットケーブル２ｂの端末とを接続して、電線６同士を予め定められるパターンにしたがって電気的に接続する。
【００７０】
配線用クリップ３００は、図１に示すように、フラットケーブル２ａの中央部に取り付けられているとともに、フラットケーブル２ｂの中央部に取り付けられている。配線用クリップ３００は、ワイヤハーネス１を前記自動車の車体に取り付ける際に、該ワイヤハーネス１の位置決め及び振動を防止するために使用される。フラットケーブル２ａに取り付けられた配線用クリップ３００と、フラットケーブル２ｂに取り付けられた配線用クリップ３００とは、構成が略同等であるので、以下、フラットケーブル２ｂに取り付けられた配線用クリップ３００を代表して説明する。
【００７１】
配線用クリップ３００は、絶縁性の合成樹脂からなり、図１１及び図１２に示すように、本体部３０１と、係止部３０２と、カバー部３０３と、複数の突起３０６とを一体に備えている。本体部３０１は、略平坦な底壁３０４と、この底壁３０４の両縁から立設した一対の側壁３０５とを備えている。底壁３０４の平面形状は、矩形状である。一対の側壁３０５は、互いに平行であるとともに、互いに間隔をあけて相対している。本体部３０１は、底壁３０４の側壁３０５が立設した側の表面３０４ａ上にフラットケーブル２ｂを位置付ける。なお、表面３０４ａは、本明細書に記した本体部３０１の表面をなしている。
【００７２】
係止部３０２は、本体部３０１の底壁３０４の裏面３０４ｂから立設している。裏面３０４ｂは、表面３０４ａの裏側に位置する。係止部３０２は、車体の各パネルなどに設けられた孔（図示せず）に係止する。係止部３０２は、前記孔などに係止して、車体の各パネルなどに固定される。
【００７３】
カバー部３０３は平板状に形成されている。カバー部３０３は、ヒンジ３０７を介して一方の側壁３０５と連結している。ヒンジ３０７は、弾性変形自在である。ヒンジ３０７が弾性変形することにより、カバー部３０３は、図１２に示す一対の側壁３０５間を開放する位置と、図１１に示す一対の側壁３０５間を塞ぐ位置とに亘って変位自在となっている。また、カバー部３０３と他方の側壁３０５とには、互いに係合・離脱自在な係合部３０８と、係合受け部（図示せず）とが設けられている。係合部３０８は、前述した係合受け部に係合して、一対の側壁３０５を塞ぐ状態にカバー部３０３を保つ。
【００７４】
複数の突起３０６は、本体部３０１の底壁３０４の表面３０４ａから突出している。突起３０６は、配線用クリップ３００が取り付けられるフラットケーブル２ｂの貫通孔２０８ａ，２０８ｂそれぞれに対応して設けられている。このため、突起３０６は、２つ設けられている。これら２つの突起３０６は、本体部３０１に取り付けられるフラットケーブル２ｂの幅方向に沿って並べられている。２つの突起３０６は、本体部３０１に取り付けられるフラットケーブル２ｂの長手方向に沿って延びているとともに、互いに平行である。突起３０６の平面形状は、前述した貫通孔８ａ，８ｂの形状に沿った矩形状に形成されている。
【００７５】
突起３０６は、表面３０４ａ上にフラットケーブル２ｂが位置付けられると、このフラットケーブル２ｂの貫通孔２０８ａ，２０８ｂ内に侵入する。また、突起３０６の一方の端は、フラットケーブル２ｂの長手方向にずれている。これらの突起３０６の一方の端間のずれ量は、前述した貫通孔２０８ａ，２０８ｂの端間のずれ量と等しい。このため、突起３０６の互いにずれた端は、突起３０６が貫通孔２０８ａ，２０８ｂ内に侵入すると、貫通孔２０８ａ，２０８ｂの端に合致する（ぴったりと合う）。
【００７６】
前述した構成の配線用クリップ３００は、係合部３０８が係合受け部に係合していない状態で、表面３０４ａ上にフラットケーブル２ｂを位置付けて、本体部３０１内にフラットケーブル２ｂを収容する。このとき、各突起３０６を対応する貫通孔２０８ａ，２０８ｂ内に挿入しておく。その後、ヒンジ３０７を弾性変形させて、ヒンジ３０７を中心にしてカバー部３０３を図１２中の矢印Ｌに沿って回転させる。係合部３０８を係合受け部に係合させて、図１１に示すように、カバー部３０３で一対の側壁３０５間を塞ぐ。
【００７７】
その後、突起３０６の端と貫通孔２０８ａ，２０８ｂの端とを合致させた状態で、これらフラットケーブル２ｂと配線用クリップ３００との外周にテープを巻く。こうして、配線用クリップ３００は、フラットケーブル２ｂに取り付けられる。そして、係止部３０２が車体の各パネルに設けられた孔に係止して、配線用クリップ３００は、前記車体にフラットケーブル２ｂ則ちワイヤハーネス１を固定する。
【００７８】
また、前述したフラットケーブル２ａに取り付けられる配線用クリップ３００は、前述した本体部３０１則ち底壁３０４の幅及び突起３０６の個数などが異なるだけて、前述したものと構成が同等である。具体的には、本体部３０１則ち底壁３０４の幅が広くなっており、突起３０６が貫通孔８ａ，８ｂに対応して３つ設けられている。このときも、突起３０６の端が貫通孔８ａ，８ｂの端に対応してずれている。突起３０６が貫通孔８ａ，８ｂ内に侵入すると、突起３０６の端と貫通孔８ａ，８ｂの端とが合致する。
【００７９】
ワイヤハーネス１は、前述したフラットケーブル２ａ，２ｂと、コネクタ１２０と、ランプユニット２７０と、配線用クリップ３００とを備えている。ワイヤハーネス１は、スリットとしての貫通孔８ａ，８ｂ，２０８ａ，２０８ｂが形成された箇所でフラットケーブル２ａ，２ｂが曲げられて、自動車などに配索される。このため、フラットケーブル２ａ，２ｂは、スリットとしての貫通孔８ａ，８ｂ，２０８ａ，２０８ｂが形成された箇所で曲げられて、布線板３５０に設置された結き具３５２などに引っかけられるなどして布線される。
【００８０】
次に、フラットケーブル２ａの端末にコネクタ１２０を取り付ける圧接装置１５０を、図１６ないし図４３を参照して説明する。圧接装置１５０は、図１６などに示すように、ベース１０と、ハウジング保持部１１と、電線圧接部１２と、電線保持手段としての電線保持機構１３と、検出部１４（図１７に示す）と、図示しないバンド除去部と、制御手段としての図示しない制御装置を備えている。ベース１０は、工場のフロア上などに設けられる。ベース１０は、鉛直方向に沿って互いに間隔を存して配される一対の平坦壁１５，１６と、これらの平坦壁１５，１６を互いに連結する連結壁１７と、を備えている。平坦壁１５，１６は互いに平行でかつ水平方向に沿って延在している。
【００８１】
ハウジング保持部１１は、コネクタハウジング１０１を位置決めして保持する。ハウジング保持部１１は、端子収容溝１０２が上方に開口した状態で、バンド１２１が除去されていない状態のコネクタハウジング１０１を保持する。
【００８２】
ハウジング保持部１１は、下方に位置する平坦壁１５上に設けられている。ハウジング保持部１１は、図１７などに示すように、一対のリニアガイド１８と、保持台１９と、コネクタ保持治具２０と、図示しない駆動源を備えている。リニアガイド１８は、レール２１とスライダ２２とを備えている。レール２１は、平坦壁１５に取り付けられている。一対のリニアガイド１８のレール２１は、互いに平行である。スライダ２２は、レール２１の長手方向に沿ってスライド自在に前記レール２１に支持されている。
【００８３】
保持台１９は、厚手の板状に形成されている。保持台１９は、リニアガイド１８のスライダ２２に取り付けられている。コネクタ保持治具２０は、図１８及び図１９に示すように、治具本体２３と、切断刃２４とを備えている。治具本体２３は、略直方体（方体）状に形成されている。治具本体２３は、保持台１９に取り付けられる。治具本体２３は、コネクタハウジング１０１を保持可能な凹部２５を備えている。治具本体２３は、凹部２５内にコネクタハウジング１０１を、端子収容溝１０２が上方に開口した状態で収容する。コネクタ保持治具２０は、凹部２５内即ち治具本体２３にコネクタハウジング１０１を着脱自在としている。
【００８４】
切断刃２４は、その長手方向の中央部を中心として、治具本体２３に回転自在に支持されている、切断刃２４は、一端部に鉤状の刃２６を設けている。切断刃２４は、図１９に示すように、刃２６が凹部２５内に収容されたコネクタハウジング１０１の端子収容部１１３とカバー１１４との間に位置するとともに、バンド１２１と相対する。切断刃２４は、刃２６が端子収容部１１３とカバー１１４との間の奥に向かう方向即ちバンド１２１に近づく方向に図示しないコイルばねなどにより付勢されている。また、切断刃２４は、前記刃２６がバンド１２１に近づく方向にスライド自在に治具本体２３に支持されている。切断刃２４は、刃２６がバンド１２１から離れる方向に図示しないコイルばねなどにより付勢されている。
【００８５】
図示しない駆動源は、スライダ２２即ちコネクタ保持治具２０をレール２１の長手方向に沿って移動させる。
【００８６】
前述した構成のハウジング保持部１１は、コネクタ保持治具２０が電線圧接部１２から離れた位置で、以下のようにコネクタ保持治具２０にコネクタハウジング１０１を取り付ける。コネクタ保持治具２０にコネクタハウジング１０１を取り付ける際には、コネクタ保持治具２０の切断刃２４をコイルばねの付勢力に抗して、図１８中の二点鎖線で示す位置に変位させる。
【００８７】
そして、治具本体２３の凹部２５内にコネクタハウジング１０１を収容する。その後、コイルばねの付勢力により、切断刃２４の刃２６を端子収容部１１３とカバー１１４との間に位置付ける。こうして、コネクタ保持治具２０は、コネクタハウジング１０１を保持する。そして、駆動源が、スライダ２２即ちコネクタ保持治具２０をレール２１の長手方向に沿って移動する。
【００８８】
電線圧接部１２は、図１６などに示すように、デュアルシリンダ２７と、ブレード部２８と、案内部材２９とを備えている。デュアルシリンダ２７は、一対のシリンダ本体３０と、これらのシリンダ本体３０から伸縮自在な伸縮ロッド３１とを備えている。一対のシリンダ本体３０は、互いに連結されているとともに、ベース１０の上方の平坦壁１６に取り付けられている。一対のシリンダ本体３０は、伸縮ロッド３１の長手方向が鉛直方向に沿いかつ該伸縮ロッド３１が下方に向かって伸長する状態で平坦壁１６に取り付けられている。
【００８９】
ブレード部２８は、図２２ないし図２５に示すように、枠状の枠部３２と、圧接部材としての複数の圧接ブレード３３とを一体に備えている。枠部３２は、前記デュアルシリンダ２７の伸縮ロッド３１に取り付けられている。圧接ブレード３３は、前記フラットケーブル２ａの電線６及びコネクタハウジング１０１に取り付けられる圧接端子１００と同数設けられている。図示例では、圧接ブレード３３は、四つ設けられている。これらの圧接ブレード３３は、ブレード状即ち帯板状に形成されている。圧接ブレード３３の厚みは、圧接端子１００の側壁１０９間の間隔と電線６の外径と略等しく、これらより若干薄い。
【００９０】
圧接ブレード３３は、電線６を圧接部１０４ａに圧接（圧入）するとともに、加締め片１１２を壁１０８に向かって曲げて、加締め片１１２で電線６を加締める。圧接ブレード３３は、その長手方向が鉛直方向に沿いかつ互いに間隔をあけて並べられている、圧接ブレード３３は、互いに平行である。圧接ブレード３３は、それぞれがコネクタハウジング１０１の端子収容溝１０２と鉛直方向に沿って相対できる位置に配されている。また、圧接ブレード３３は、前記デュアルシリンダ２７の伸縮ロッド３１が伸長すると、圧接端子１００の側壁１０９間に侵入する。
【００９１】
案内部材２９は、図２２、図２３及び図２５に示すように、一端部２９ａがブレード部２８の枠部３２内に収容されかつ他端部２９ｂが枠部３２から下方に向かって突出している。案内部材２９は、コイルばね３４などによって、枠部３２から下方に向かって付勢されている。案内部材２９は、他端部２９ｂに設けられたガイド部としての複数の圧接ブレード通し孔３５を備えている。圧接ブレード通し孔３５は、鉛直方向に沿って案内部材２９を貫通している。圧接ブレード通し孔３５の圧接ブレード３３が互いに並ぶ方向即ちコネクタハウジング１０１の端子収容溝１０２が互いに並ぶ方向の幅は、圧接ブレード３３の厚みと電線６の外径より若干大きく、これらと略等しい。なお、圧接ブレード通し孔３５相互間の間隔は、前述した第２の間隔Ｄ２に対応している。
【００９２】
また、圧接ブレード通し孔３５は、内側に圧接ブレード３３と電線６が通ることを許容する。さらに、圧接ブレード通し孔３５の圧接ブレード３３が互いに並ぶ方向即ちコネクタハウジング１０１の端子収容溝１０２が互いに並ぶ方向に沿って互いに相対する内面３５ａは、圧接ブレード３３が端子収容溝１０２に近づく方向に沿って平坦に形成されている。
【００９３】
即ち、前記内面３５ａは、圧接ブレード３３が圧接端子１００に電線６を圧入する方向即ち圧接する方向（鉛直方向）に沿って平坦である。なお、圧接ブレード通し孔３５は、内面３５ａ間に電線６を位置付けて、該電線６を通す。さらに、互いに相対する内面３５ａ間の空間Ｃ（図３９ないし図４１に示す）は、電線６を圧接端子１００に案内するとともに、本明細書に記した案内路をなしている。
【００９４】
前述した構成によれば、デュアルシリンダ２７の一方のシリンダ本体３０が駆動すると、伸縮ロッド３１が伸長して、電線圧接部１２の下方に位置するコネクタ保持治具２０に保持されたコネクタハウジング１０１に向かって案内部材２９とブレード部２８が移動する。このため、案内部材２９とブレード部２８は、デュアルシリンダ２７の伸縮ロッド３１が伸縮することで、ハウジング保持部１１に接離する。
【００９５】
すると、案内部材２９の他端部２９ｂにおいて、圧接ブレード通し孔３５内にコネクタハウジング１０１に取り付けられた圧接端子１００を位置付ける。このように、デュアルシリンダ２７は、圧接ブレード通し孔３５内に圧接端子１００が位置するまで、案内部材２９をハウジング保持部１１に近づける。
【００９６】
そして、圧接ブレード通し孔３５内にフラットケーブル２ａの各電線６が圧接端子１００に圧接可能となる状態まで挿入されると、他方のシリンダ本体３０が駆動して、ブレード部２８即ち圧接ブレード３３がさらにコネクタハウジング１０１に近づく。このとき、コイルばね３４の付勢力に抗して、案内部材２９は、ブレード部２８に対して相対的にデュアルシリンダ２７側に移動して、静止した状態を保つ。
【００９７】
圧接ブレード３３は、コネクタハウジング１０１に向かって移動して、圧接ブレード通し孔３５内の電線６をコネクタハウジング１０１に取り付けられた圧接端子１００に近づけて、該圧接端子１００の圧接部１０４ａに圧入する。そして、圧接ブレード３３は、電線６を圧接端子１００に圧接する。
【００９８】
電線保持機構１３は、位置決め部としての第１のガイド部材３６と、チャック部３７と、を備えている。第１のガイド部材３６は、ブレード部２８の枠部３２の下方寄りの端部に取り付けられている。即ち、第１のガイド部材３６は、枠部３２を介して圧接ブレード３３に取り付けられている。
【００９９】
第１のガイド部材３６は、第１のガイド部３８と、第２のガイド部３９と、第３のガイド部４０とを備えている。第１のガイド部３８は、直方体（方体）状に形成されている。第１のガイド部３８の後述の第２のガイド部材４８に相対する下面３８ａ（第１のガイド部材の端面に相当する）には、該下面３８ａから凹の第１の凹溝４１が形成されている。第１の凹溝４１の底面４１ａと下面３８ａは、水平方向に沿って平坦である。第１の凹溝４１は、直線状である。第１の凹溝４１は、内側にフラットケーブル２ａを挿入できる。第１の凹溝４１の幅は、フラットケーブル２ａの幅と等しい。
【０１００】
第２のガイド部３９は、第１のガイド部３８に取り付けられ、かつこの第１のガイド部３８よりブレード部２８寄りに配されている。第２のガイド部３９は、直方体（方体）状に形成されている。第２のガイド部３９の第２のガイド部材４８に相対する下面３９ａ（第１のガイド部材の端面に相当する）は、第１のガイド部３８の下面３８ａより若干上方に位置している。第２のガイド部３９には、下面３９ａから凹の第２の凹溝４２が形成されている。第２の凹溝４２の底面４２ａと下面３９ａは、水平方向に沿って平坦である。第２の凹溝４２の底面４２ａは、上にフラットケーブル２ａを位置付ける本明細書に記した表面をなしている。
【０１０１】
第２の凹溝４２の底面４２ａには、図２６ないし図２８に示すように、複数の突起４４が設けられている。突起４４は、底面４２ａから突出している。突起４４は、第１及び第２の凹溝４１，４２の長手方向に沿って延びている。突起４４の平面形状は、切欠き７ａ，７ｂの平面形状に沿って、矩形状に形成されている。突起４４は、第１及び第２の凹溝４１，４２の幅方向に沿って互いに間隔をあけて配されている。
【０１０２】
突起４４は、フラットケーブル２ａの連結部８と同数設けられている。突起４４は、フラットケーブル２ａの切欠き７ａ，７ｂそれぞれに対応している。後述の突起４４ａは切欠き７ａに対応し、突起４４ｂは、切欠き７ｂに対応する。突起４４は、直線状である。突起４４は、互いに平行である。突起４４は、後述の突起５３と連続している。突起４４間と、端に位置する突起４４と第２の凹溝４２の内側面との間には、それぞれ、フラットケーブル２ａの電線６を挿入できる。突起４４間の間隔は、第１の間隔Ｄ１に対応している。
【０１０３】
突起４４は、後述するように第１のガイド部材３６と第２のガイド部材４８との間にフラットケーブル２ａが挿入されると、切欠き７ａ，７ｂ内に侵入する。また、複数の突起４４のうち図２６中最も下方に位置する一つの突起４４（以下符号４４ａで示す）と、他の２つの突起４４（以下符号４４ｂで示す）との端は、第１及び第２の凹溝４１，４２則ちガイド部材３６，４８間に挿入されるフラットケーブル２ａの長手方向にずれている。こうして、少なくとも２つの突起４４ａ，４４ｂの端が、フラットケーブル２ａの長手方向にずれている。突起４４ａは、突起４４ｂより長い。
【０１０４】
また、突起４４ａの端と突起４４ｂの端とのフラットケーブル２ａの長手方向のずれ量は、切欠き７ａの端と切欠き７ｂの端とのフラットケーブル２ａの長手方向のずれ量と等しい。このため、図３３に示すように、第１のガイド部材３６と第２のガイド部材４８との間にフラットケーブル２ａが挿入されると、切欠き７ａと突起４４ａとが合致し（ぴったりと合い）、切欠き７ｂと突起４４ｂとが合致する（ぴったりと合う）。第１のガイド部材３６は、凹溝４１，４２内などにフラットケーブル２ａが挿入されて切欠き７ａ，７ｂと突起４４ａ，４４ｂとが合致することにより、各電線６がハウジング保持部１１に保持されたコネクタハウジング１０１に取り付けられた圧接端子１００の圧接部１０４ａに圧接可能な状態にフラットケーブル２ａを位置決めする。
【０１０５】
また、図３３に示すように、これらの突起４４ａ，４４ｂに切欠き７ａ，７ｂが合致する状態で、フラットケーブル２ａの電線６を後述の凹溝４５内に挿入することにより、これらの電線６が検出部１４の後述する接触センサ５６に接触できる。また、表と裏を逆向きにして凹溝４５内にフラットケーブル２ａを挿入すると、前述した切欠き７ａ，７ｂと突起４４ａ，４４ｂにより、電線６は接触センサ５６に接触しない。こうして、フラットケーブル２ａの表と裏を逆向きにすることを防止でき、フラットケーブル２ａの所望の電線６を所望の圧接端子１００に圧接できるようになる。また、前述した突起４４の他に、ピンなどを用いても良い。
【０１０６】
第３のガイド部４０は、第２のガイド部３９に取り付けられ、かつこの第２のガイド部３９よりブレード部２８寄りに配されている。第３のガイド部４０は、直方体（方体）状に形成されている。第３のガイド部４０の第２のガイド部材４８に相対する下面４０ａ（第１のガイド部材の端面に相当する）は、第２のガイド部３９の下面３９ａより若干下方に位置しているとともに、第１のガイド部３８の下面３８ａと同一平面上に位置している。第３のガイド部４０には、下面４０ａから凹の第３の凹溝４３が複数形成されている。下面４０ａは、水平方向に沿って平坦である。
【０１０７】
第３の凹溝４３は、フラットケーブル２ａの電線６と同数設けられている。第３の凹溝４３は、直線状である。第３の凹溝４３は、突起４４ａ，４４ｂ間の空間及び突起４４ａ，４４ｂと第２の凹溝４２の内側面との間の空間と、圧接ブレード通し孔３５とに連なっている。互いに隣り合う第３の凹溝４３の間隔は、前記第２の凹溝４２寄りの端で、前述した第１の間隔Ｄ１に対応している。また、互いに隣り合う第３の凹溝４３の間隔は、圧接ブレード通し孔３５寄りの端で、前述した第２の間隔Ｄ２に対応している。また、第３の凹溝４３は、図２６及び図２９に示すように、突起５３により互いに指揮されている。突起５３は、第３の凹溝４３の底面４３ａから突出している。
【０１０８】
こうして、第３の凹溝４３は、第１の間隔Ｄ１と第２の間隔Ｄ２とに応じて、圧接ブレード通し孔３５内に電線６が挿入される方向に対して傾斜している。第３の凹溝４３は、それぞれの内側にフラットケーブル２ａの電線６を挿入できる。なお、第３の凹溝４３は、本明細書に記した傾斜部をなしている。このため、後述の凹溝４５は、勿論第３の凹溝４３を備えている。
【０１０９】
前述した第１ないし第３の凹溝４１，４２，４３は、凹溝４５を構成している。また、凹溝４５は、内側にフラットケーブル２ａの電線６を通すことで、フラットケーブル２ａの電線６相互間の間隔を、第１の間隔Ｄ１から第２の間隔Ｄ２にする。そして、フラットケーブル２ａの電線６相互間の間隔を、コネクタハウジング１０１の端子収容溝１０２内の圧接端子１００相互間の間隔にする。
【０１１０】
チャック部３７は、図１６、図１７、図２０及び図２１に示すように、押圧手段としてのチャックシリンダ４６と、チャック部材４７と、一対の第２のガイド部材４８と、を備えている。チャックシリンダ４６は、図２０及び図２１に示すように、シリンダ本体４９と、このシリンダ本体４９から伸縮自在に設けられた伸縮ロッド５０とを備えている。シリンダ本体４９は、伸縮ロッド５０の長手方向が鉛直方向に沿いかつ該伸縮ロッド５０が上方に向かって伸長する状態で、ベース１０の下方の平坦壁１５に取り付けられている。
【０１１１】
また、シリンダ本体４９は、伸縮ロッド５０が第１のガイド部材３６と相対している。チャックシリンダ４６は、後述のコイルばね５１の付勢力より弱く伸縮ロッド５０を伸長させる第１の状態と、コイルばね５１の付勢力より強く伸縮ロッド５０を伸長させる第２の状態とが切り換え可能となっている。また、チャックシリンダ４６は、伸縮ロッド５０を伸長させるとチャック部材４７を第１のガイド部材３６に向かって押す。
【０１１２】
即ち、チャックシリンダ４６は、第１の状態では、コイルばね５１の付勢力より弱くチャック部材４７を第１のガイド部材３６に向かって押し、第２の状態では、コイルばね５１の付勢力より強くチャック部材４７を第１のガイド部材３６に向かって押す。
【０１１３】
チャック部材４７は、チャックシリンダ４６の伸縮ロッド５０に取り付けられている。チャック部材４７は、第１のガイド部材３６と相対している。チャック部材４７は、チャックシリンダ４６の伸縮ロッド５０が伸縮することで、第１のガイド部材３６に接離自在となる。チャック部材４７は、第１のガイド部材３６の第２のガイド部３９の下面３９ａと鉛直方向に沿って相対するチャック面４７ａを備えている。チャック面４７ａは、水平方向に沿って平坦である。
【０１１４】
一対の第２のガイド部材４８は、図２１に示すように、チャック部材４７に鉛直方向に向かってスライド自在に支持されている。一対の第２のガイド部材４８は、図２１に示すように、付勢手段としてのコイルばね５１などによって、上方に向かって付勢されている。このため、第２のガイド部材４８は、チャック面４７ａより上方に突出している。
【０１１５】
一方の第２のガイド部材４８は、第１のガイド部材３６の第１のガイド部３８と鉛直方向に沿って相対する。他方の第２のガイド部材４８は、第１のガイド部材３６の第３のガイド部４０と鉛直方向に沿って相対する。第２のガイド部材４８は、第１及び第３のガイド部３８，４０に相対する上面４８ａから凹の溝５２を複数備えている。
【０１１６】
溝５２は、それぞれ、第１の凹溝４１及び第３の凹溝４３と鉛直方向に沿って相対する。溝５２と凹溝４１，４３は、第１のガイド部材３６と第２のガイド部材４８とが互いに近づくと、互いに合致して内側にフラットケーブル２ａの電線６を通す。こうして、第２のガイド部材４８は、第１のガイド部材３６と協働して、電線６を圧接ブレード通し孔３５内に案内する。
【０１１７】
前述した構成の電線保持機構１３は、デュアルシリンダ２７の一方のシリンダ本体３０が駆動した状態で、チャックシリンダ４６が前述した第１の状態になると、第１及び第３のガイド部３８，４０と第２のガイド部材４８が互いに接触する。さらに、第１の状態では、第２のガイド部３９とチャック部材４７とが間隔をあけて相対している。第１の状態での第２のガイド部３９とチャック部材４７との間隔は、フラットケーブル２ａの電線６の外径より大きい。この第１の状態で凹溝４５と溝５２内にフラットケーブル２ａを第１のガイド部３８側から第３のガイド部４０に向かって挿入する。第１の状態では、凹溝４５内からフラットケーブル２ａの電線６が出し入れ自在となっている。
【０１１８】
そして、凹溝４５内に挿入されたフラットケーブル２ａの電線６が、検出部１４の接触センサ５６に接触すると、チャックシリンダ４６が前述した第２の状態になる。第２の状態では、チャックシリンダ４６がチャック部材４７をコイルばね５１の付勢力より強く第１のガイド部材３６に向かって押すので、チャック部材４７が第２のガイド部３９に近づく。すると、凹溝４５内に挿入された電線６を、チャック部材４７と第２のガイド部３９とで挟む。こうして、凹溝４５から電線６が抜け出ることを規制する。
【０１１９】
検出部１４は、図１７に示すように、ベース１０に取り付けられた検出部本体５５と、この検出部本体５５に取り付けられた複数の接触センサ５６とを備えている。接触センサ５６は、本明細書に記した検出手段をなしており、フラットケーブル２ａの電線６と同数設けられている。接触センサ５６は、制御装置などと接続している。接触センサ５６は、前記凹溝４５内を通って圧接ブレード通し孔３５内に挿入されたフラットケーブル２ａの電線６の端面と相対する。
【０１２０】
また、接触センサ５６は、圧接ブレード通し孔３５内に挿入されたフラットケーブル２ａの電線６の端面と接触する。接触センサ５６は、電線６の端面が接触すると、この接触したことを示す信号を前記制御装置に向かって出力する。接触センサ５６に電線６が接触した状態は、本明細書に記した電線６が圧接端子１００に圧接可能となる状態をなしている。こうして、接触センサ５６は、電線６が接触することにより、圧接ブレード通し孔３５内を通された電線６が圧接端子１００の圧接部１０４ａに圧接可能であることを検出する。勿論、電線６は、接触センサ５６に接触すると、圧接端子１００の圧接部１０４ａに圧接可能である。電線６は、接触センサ５６に接触しないと、圧接端子１００の圧接部１０４ａに圧接不可能である。
【０１２１】
バンド除去部は、コネクタ保持治具２０の切断刃２４を図示しないコイルばねの付勢力に抗して移動させる。バンド除去部は、切断刃２４の刃２６でコネクタハウジング１０１のバンド１２１を除去する。
【０１２２】
制御装置は、周知のＲＡＭ、ＲＯＭ、ＣＰＵなどを備えたコンピュータである。制御装置は、ハウジング保持部１１と電線圧接部１２と電線保持機構１３と検出部１４とバンド除去部などと接続して、これらの動作を制御して、圧接装置１５０全体の制御をつかさどる。制御装置は、圧接装置１５０が電線６を圧接する際にまず、ハウジング保持部１１のコネクタ保持治具２０を電線圧接部１２の下方に位置付ける。
【０１２３】
そして、制御装置は、デュアルシリンダ２７の一方のシリンダ本体３０を駆動して伸縮ロッド３１を伸長させるとともに、チャックシリンダ４６の伸縮ロッド５０を第１の状態で伸長させる。制御装置は、全ての接触センサ５６から電線６が接触したことを示す信号が入力すると、即ち電線６が圧接端子１００に圧接可能な状態になると、チャックシリンダ４６の伸縮ロッド５０を第２の状態で伸長させる。
【０１２４】
そして、制御装置は、デュアルシリンダ２７の他方のシリンダ本体３０を駆動して伸縮ロッド３１をさらに伸長して、電線６を圧接端子１００に圧接するとともに加締め片１１２をかしめる。制御装置は、電線６の圧接終了後、デュアルシリンダ２７の伸縮ロッド３１とチャックシリンダ４６の伸縮ロッド５０を縮小させるとともに、バンド除去部にバンドを除去させる。そして、ハウジング保持部１１に、コネクタハウジング１０１を電線圧接部１２から離れた位置まで移動させる。
【０１２５】
前述した構成の圧接装置１５０を用いて、圧接端子１００に電線６を圧接する際には、圧接端子１００を各端子収容溝１０２に挿入して、コネクタハウジング１０１に圧接端子１００を取り付けておく。そして、ハウジング保持部１１のコネクタ保持治具２０にコネクタハウジング１０１を取り付ける。圧接装置１５０を駆動状態にする。すると、ハウジング保持部１１の駆動源が駆動して、コネクタ保持治具２０即ちコネクタハウジング１０１は、電線圧接部１２の下方に位置する。
【０１２６】
そして、デュアルシリンダ２７の一方のシリンダ本体３０が駆動するとともに、チャックシリンダ４６が第１の状態でチャック部材４７を第１のガイド部材３６に向かって押す。そして、図３０及び図３９に示すように、案内部材２９の圧接ブレード通し孔３５内にコネクタハウジング１０１に取り付けられた圧接端子１００の圧接部１０４ａを位置させる。
【０１２７】
こうして、電線６を圧接端子１００に案内する案内路としての空間Ｃを形成する。さらに、図３０に示すように、第１のガイド部３８と第２のガイド部材４８とが互いに接触し、かつ第３のガイド部４０と第２のガイド部材４８とが互いに接触するとともに、第２のガイド部３９とチャック面４７ａとが間隔をあけて相対する。
【０１２８】
そして、作業員が、図３１に示すように、フラットケーブル２ａの電線６を凹溝４５内に挿入する。図３３に示すように、切欠き７ａ，７ｂに突起４４ａ，４４ｂが合致すると、電線６は、図３２及び図４０に示すように、凹溝４５及び圧接ブレード通し孔３５を通って、接触センサ５６に接触する。このとき、電線６は、図３４及び図３５に示すように第２の凹溝４２内に通されているとともに、図３６に示すように第３の凹溝４３内に通されている。なお、このとき、表と裏を逆向きでフラットケーブル２ａを凹溝４５内に挿入すると、図４３に示すように、切欠き７ｂと突起４４ａとが干渉して、フラットケーブル２ａが所定の位置まで凹溝４５内に挿入されずに、電線６は接触センサ５６に接触しない。この場合、フラットケーブル２ａを正規の向きにして再度凹溝４５内に挿入する。
【０１２９】
全ての接触センサ５６に電線６が接触すると、制御装置は、電線６が圧接端子１００に圧接可能な状態であると認識する。すると、チャックシリンダ４６は、第２の状態でチャック部材４７を第１のガイド部材３６に向かって押す。こうして、電線６が圧接端子１００に圧接可能な状態になると、チャックシリンダ４６は、第２の状態になる。
【０１３０】
すると、コイルばね５１の付勢力に抗して、チャック部材４７が第２のガイド部３９に近づいて、図３２に示すように、第２のガイド部３９とチャック部材４７との間に挟む。こうして、電線６が圧接端子１００に圧接可能な状態になると、電線６が凹溝４５即ち圧接ブレード通し孔３５内から抜け出ることを規制する。即ち、電線６を案内路としての空間Ｃに位置付けた後、電線６が空間Ｃから抜け出ることを規制する。
【０１３１】
そして、デュアルシリンダ２７の他方のシリンダ本体３０が駆動して、図３７及び図４１に示すように、圧接ブレード３３を圧接端子１００に近づける。すると、圧接ブレード通し孔３５内の電線６は、圧接ブレード３３に押されて、圧接端子１００の圧接部１０４ａ即ち三対の圧接刃１１１ａ，１１１ｂ，１１１ｃ間に近づく。
【０１３２】
そして、図３８及び図４２に示すように、電線６は、圧接ブレード３３により、圧接部１０４ａ即ち圧接刃１１１ａ，１１１ｂ，１１１ｃ間に圧入される。さらに、圧接ブレード３３は、加締め片１１２を壁１０８に向かって曲げて、加締め片１１２で電線６をかしめる。こうして、フラットケーブル２ａのすべての電線６を、同時に圧接端子１００に圧接するとともに圧接端子１００に取り付ける。このように、フラットケーブル２ａを電線６が圧接端子１００に圧接可能となる位置に位置決めした後に、電線６を圧接する。
【０１３３】
そして、デュアルシリンダ２７の伸縮ロッド３１とチャックシリンダ４６の伸縮ロッド５０が縮小するとともに、バンド除去部がバンド１２１を除去する。そして、ハウジング保持部１１の駆動源は、コネクタハウジング１０１を電線圧接部１２から離れた位置まで移動させる。
【０１３４】
そして、作業員は、係合突起１１７にカバーロックアーム１１９を係合させるとともに、コネクタ保持治具２０から組立済みのコネクタ１２０を取り外す。そして、圧接端子１００に電線６が圧接されていないコネクタハウジング１０１を再度コネクタ保持治具２０に取り付けて、前述した工程と同様に、圧接端子１００に電線６を圧接する。こうして、圧接装置１５０は、フラットケーブル２ａの端末にコネクタ１２０を取り付ける。
【０１３５】
次に、フラットケーブル２ａの中央部とフラットケーブル２ｂの端末とを接続（ジョイント）する圧接装置２０１を、図４４ないし図６１を参照して説明する。図４４などに示す圧接装置２０１は、図４５（ａ）に示すように、フラットケーブル２ａ，２ｂを互いに直交させて、Ｔ字状にこれらのフラットケーブル２ａ，２ｂを接続するためのものである。
【０１３６】
圧接装置２０１は、図４４に示すように、水平方向に沿って平坦な基板２１５と、この基板２１５上に設置されたフレーム２１３と、圧接部材としての圧接ブレード２１１，２１２と、電線等のセット装置（以下セット装置と言う）２０２とを備えている。
【０１３７】
フレーム２１３の上部には、シリンダ２１４が取り付けられている。シリンダ２１４は、フレーム２１３の上部に取り付けられたシリンダ本体２１４ａと図示しない伸縮ロッドとを備えている。伸縮ロッドは、シリンダ本体２１４ａから伸縮自在となっている。伸縮ロッドは、シリンダ本体２１４ａから下方則ちセット装置２０２に向かって伸長する。
【０１３８】
圧接ブレード２１１，２１２は、それぞれ複数枚設けられている。圧接ブレード２１１は、４枚設けられ、圧接ブレード２１２は、３枚設けられている。圧接ブレード２１１，２１２の表面は、互いに直交している。圧接ブレード２１１，２１２は、フレーム２１３に昇降自在に支持されている。圧接ブレード２１１，２１２は、セット装置２０２に接離自在に、フレーム２１３に支持されている。なお、接離とは、近づいたり離れたりすることである。圧接ブレード２１１，２１２には、シリンダ２１４の伸縮ロッドが取り付けられている。このため、圧接ブレード２１１，２１２は、シリンダ２１４で一体的に昇降される。
【０１３９】
セット装置２０２は、基板２１５上に配されている。セット装置２０２は、圧接ブレード２１１，２１２の下方に配されている。セット装置２０２は、水平な基板２１５に固定したリニアガイド２１６によって、スライド自在に支持されている。リニアガイド２１６は、ガイドレール２１６ａと、スライダ２１６ｂ（図４６に示す）とを備えている。ガイドレール２１６ａは、直線状に延びており、基板２１５の表面に取り付けられている。ガイドレール２１６ａの長手方向は、圧接ブレード２１２の表面に沿っている。スライダ２１６ｂは、ガイドレール２１６ａに、このガイドレール２１６ａの長手方向に沿ってスライド自在に支持されている。スライダ２１６ｂには、セット装置２０２が取り付けられている。
【０１４０】
このため、セット装置２０２は、ガイドレール２１６ａ則ち水平方向に沿って、前後方向にスライド自在（進退自在）である。セット装置２０２にはスライド操作用の取っ手（図示せず）が設けられている。セット装置２０２は、図４４中に二点鎖線で示す取付位置と、図４４中に実線で示す圧接位置とに亘って移動自在となっている。
【０１４１】
取付位置では、セット装置２０２は、圧接ブレード２１１，２１２の下方に位置していない。取付位置では、セット装置２０２にコネクタハウジング２０３ａとフラットケーブル２ａ，２ｂを取り付けることができる。取付位置では、セット装置２０２からコネクタハウジング２０３ａ及びフラットケーブル２ａ，２ｂを取り外すことができる。
【０１４２】
圧接位置では、セット装置２０２は、圧接ブレード２１１，２１２の下方に位置している。圧接位置では、圧接ブレード２１１，２１２が昇降動作を行うことにより、セット装置２０２にセットされたフラットケーブル２ａ，２ｂをジョイント用圧接端子２２１に圧接可能となっている。
【０１４３】
セット装置２０２は、内部に図４５（ａ）に示すジョイントコネクタ２０３のコネクタハウジング２０３ａをセットする。圧接装置２０１は、セット装置２０２内にジョイントコネクタ２０３のコネクタハウジング２０３ａをセットした状態で、ジョイントコネクタ２０３に取り付けられたジョイント用圧接端子２２１の各圧接刃２１７，２１８に圧接ブレード２１１，２１２で各フラットケーブル２ａ，２ｂの各電線６を圧接する。
【０１４４】
図４６は、セット装置２０２を含む電線圧接装置２０１の要部正面図、図４７は同じく要部側面図、図４８はセット装置２０２の縦断面図、図４９は同じく平面図をそれぞれ示すものである。
【０１４５】
各圧接ブレード２１１，２１２は、図４７などに示すリニアガイド２２２により、フレーム２１３に昇降自在に支持されている。リニアガイド２２２は、ガイドレール２２４と、スライダ２２３とを備えている。ガイドレール２２４は、直線状に延びており、フレーム２１３に取り付けられている。ガイドレール２２４の長手方向は、鉛直方向に沿っている。スライダ２２３は、ガイドレール２２４に、このガイドレール２２４の長手方向に沿ってスライド自在に支持されている。スライダ２２３に、前述した圧接ブレード２１１，２１２が取り付けられている。圧接ブレード２１１，２１２は、シリンダ２１４で昇降自在に駆動される。こうして、圧接ブレード２１１，２１２は、昇降動作することにより、圧接位置に位置付けられたセット装置２０２に接離する。
【０１４６】
各方向の圧接ブレード２１１，２１２は、並列に複数枚（本形態では電線６の数に対応して圧接ブレード２１１が４枚、圧接ブレード２１２が３枚）が配置されている。圧接ブレード２１１，２１２の長さ（下端位置）は同一である。また、前記スライダ２２３には左右一対の位置決めピン２２５が圧接ブレード２１１，２１２よりも長く垂設されている。ガイドレール２２４の延長フレーム２２６（図４７に示す）に、セット装置２０２の後退端を規定するストッパ２２７（図４７に示す）が設けられている。
【０１４７】
セット装置２０２は金属材で形成され、図４８及び図４９に示すように、ジョイントコネクタ２０３のコネクタハウジング２０３ａ（図４５に示す）をセットするベースブロック２２８と、ベースブロック２２８に回動自在に設けられた電線ガイド部材２２９と、同じくベースブロック２２８に回動自在に設けられ、電線ガイド部材２２９の内側面２２９ａに接して電線ガイド部材２２９からの各電線６の外れ落ちを防止する電線カバー２３０と、同じくベースブロック２２８に回動自在に設けられ、電線６則ちフラットケーブル２ａ，２ｂをベースブロック２２８側に押圧して挟持固定させる電線クランプ２３１とを少なくとも備えている。ベースブロック２２８は、本明細書に記したハウジング保持部をなしている。電線ガイド部材２２９は、本明細書に記した位置決め部をなしている。
【０１４８】
電線ガイド部材２２９と電線カバー２３０と電線クランプ２３１とは、図４７に示す軸２３２でベースブロック２２８の後端側に軸支されている。軸２３２の長手方向は、圧接ブレード２１１の表面と水平方向との双方に沿っている。電線ガイド部材２２９と電線カバー２３０と電線クランプ２３１との回転中心は、同軸となっている。
【０１４９】
電線クランプ２３１は電線ガイド部材２２９の外側に位置し略枠状に形成されている。電線ガイド部材２２９は略板状に形成されている。電線カバー２３０は電線ガイド部材２２９よりも薄く、且つ前方及び左右に幅広である。図４９に示すように、電線クランプ２３１は略コの字状に形成され、前側及び左右が電線ガイド部材２２９よりも幅広で長く、前端部２３１ａは電線カバー２３０よりも短い。
【０１５０】
電線ガイド部材２２９には、図５０などに示すように、フラットケーブル２ａを通すことのできる溝２３６と、フラットケーブル２ｂの端末を収容できる溝２４５とが形成されている。溝２３６，２４５は、電線ガイド部材２２９がベースブロック２２８上に重なると、電線ガイド部材２２９のベースブロック２２８と相対する表面から凹に形成されている。溝２３６の長手方向は、圧接ブレード２１１の長手方向に沿っている。溝２４５の長手方向は、圧接ブレード２１２の長手方向に沿っている。
【０１５１】
さらに、電線ガイド部材２２９に圧接ブレード２１１，２１２を通すことのできる細幅の圧接用スリット２３３，２３４（図４８及び図４９に示す）が複数並列に設けられている。各スリット２３３，２３４は、勿論、電線ガイド部材２２９を貫通している。各スリット２３３，２３４は両端が閉塞されたものである。スリット２３３は、圧接ブレード２１１と同数設けられている。このため、スリット２３３は、４つ設けられている。これら４つのスリット２３３は、溝２３６の幅方向に沿って並べられている。
【０１５２】
スリット２３３は、図５２に示すように、溝２３６の底面２３６ａに開口している。なお、フラットケーブル２ａの各電線６を圧接刃２１７に圧接する際に、底面２３６ａ上にフラットケーブル２ａを位置付ける。底面２３６ａは、本明細書に記した表面をなしている。スリット２３３の長手方向は、圧接ブレード２１１の長手方向に沿っている。
【０１５３】
また、図５１及び図５２に示すように、底面２３６ａから複数の突起２３５が突出している。突起２３５は、電線ガイド部材２２９がベースブロック２２８に重なると、底面２３６ａからベースブロック２２８に向かって突出する。また、突起２３５は、複数のスリット２３３間に配されている。このため、突起２３５は、３つ設けられている。
【０１５４】
突起２３５の溝２３６の長手方向の長さは、フラットケーブル２ａの貫通孔８ａ，８ｂの長さと等しい。突起２３５の溝２３６の幅方向の厚みは、フラットケーブル２ａの貫通孔８ａ，８ｂの幅と等しい。こうして、突起２３５の平面形状は、貫通孔８ａ，８ｂの形状に沿った矩形状に形成されている。また、図５０中右端に位置する一つの突起２３５（以下符号２３５ａと呼ぶ）の両端と、他の突起２３５（以下符号２３５ｂと呼ぶ）の両端とは、溝２３６の長手方向にずれている。突起２３５ａ，２３５ｂの両端間のずれ量は、フラットケーブル２ａの貫通孔８ａ，８ｂ間のずれ量と等しい。このため、突起２３５ａ，２３５ｂは、溝２３６内に通されたフラットケーブル２ａの貫通孔８ａ，８ｂ内に侵入するとともに、前記貫通孔８ａ，８ｂと合致する（ぴったりと合う）。
【０１５５】
フラットケーブル２ａを厚み方向に沿って、溝２３６内にフラットケーブル２ａを挿入することで、電線ガイド部材２２９にフラットケーブル２ａをセットする。このとき、突起２３５ａ，２３５ｂをフラットケーブル２ａの連結部５に設けられた貫通孔８ａ，８ｂ内に通すことで、電線ガイド部材２２９は、電線６をジョイント用圧接端子２２１の第１圧接部２３８ａの直上に位置付けた状態で、フラットケーブル２ａを位置決めする。則ち、電線ガイド部材２２９は、電線６をジョイント用圧接端子２２１の第１圧接部２３８ａに圧接可能となる位置にフラットケーブル２ａを位置決めする。
【０１５６】
その際、フラットケーブル２ａの誤組付（裏表違い及び左右違い）を防止するために、突起２３５の両端をずらしている。フラットケーブル２ａの貫通孔８ａ，８ｂの長さは突起２３５ａ，２３５ｂの長さに整合させている。また、電線ガイド部材２２９の溝２３６の底面２３６ａから細径の位置整合用の突出ピン２４０（図５０に示す）が設けられている。突出ピン２４０は、勿論、底面２３６ａから突出している。
【０１５７】
突出ピン２４０を、フラットケーブル２ａの一つの連結部５に設けた丸孔９内に通すことで、フラットケーブル２ａの位置決めと誤組付防止とが行われる。フラットケーブル２ａの組付方向を間違った場合は、突起２３５ａ，２３５ｂと突出ピン２４０が貫通孔８ａ，８ｂと丸孔９とを通ることができずに、突起２３５ａ，２３５ｂと突出ピン２４０が連結部５などと干渉して、フラットケーブル２ａを電線ガイド部材２２９にセットができない。これら突起２３５ａ，２３５ｂの両端や突出ピン２４０の数や位置は、フラットケーブル２ａの電線６の本数に応じて適宜設定可能である。
【０１５８】
スリット２３４は、圧接ブレード２１２と同数設けられている。このため、スリット２３４は、３つ設けられている。これら４つのスリット２３４は、溝２４５の幅方向に沿って並べられている。
【０１５９】
スリット２３４は、図５３及び図５４に示すように、溝２４５の底面２４５ａに開口している。なお、フラットケーブル２ｂの各電線６を圧接刃２１８に圧接する際に、底面２４５ａ上にフラットケーブル２ｂを位置付ける。底面２４５ａは、本明細書に記した表面をなしている。スリット２３４の長手方向は、圧接ブレード２１２の長手方向に沿っている。
【０１６０】
また、底面２４５ａから複数の突起２４１が突出している。突起２４１は、電線ガイド部材２２９がベースブロック２２８に重なると、底面２４５ａからベースブロック２２８に向かって突出する。また、突起２４１は、底面２４５ａから図４４及び図４６中手前側に延長され、この突起２４１の端２４１ｃは電線ガイド部材２２９の切欠開口２４２内で略櫛歯状をなしている。さらに、突起２４１は、複数のスリット２３４間に配されている。このため、突起２４１は、２つ設けられている。
【０１６１】
突起２４１の溝２４５の長手方向の長さは、フラットケーブル２ｂの切欠き２０７ａ，２０７ｂの長さと等しい。突起２４１の溝２３６の幅方向の厚みは、フラットケーブル２ｂの切欠き２０７ａ，２０７ｂの幅と等しい。こうして、突起２４１の平面形状は、切欠き２０７ａ，２０７ｂの形状に沿って矩形状に形成されている。図５０中下方に位置する一つの突起２４１（以下符号２４１ａで示す）の端２４１ｃと、他の突起２４１（以下符号２４１ｂで示す）の端２４１ｃとは、溝２４５の長手方向にずれている。一つの突起２４１ａの端２４１ｃと、他の突起２４１ｂの端２４１ｃとの間のずれ量は、フラットケーブル２ｂの切欠き２０７ａ，２０７ｂの端間のずれ量と等しい。突起２４１ａは、突起２４１ｂより短い。このため、突起２４１ａ，２４１ｂは、溝２４５内に通されたフラットケーブル２ｂの切欠き２０７ａ，２０７ｂ内に侵入するとともに、前記切欠き２０７ａ，２０７ｂと合致する（ぴったりと合う）。
【０１６２】
フラットケーブル２ｂは、電線ガイド部材２２９の切欠開口２４２を通して溝２４５内に、切欠き２０７ａ，２０７ｂが設けられた端末から挿入される。突起２４１ａ，２４１ｂにフラットケーブル２ｂの端末に設けた切欠き２０７ａ，２０７ｂが係合（合致）することによって、電線ガイド部材２２９は、電線６をジョイント用圧接端子２２１の第２圧接部２３８ｂの直上に位置付けた状態で、フラットケーブル２ｂを位置決めする。則ち、電線ガイド部材２２９は、電線６をジョイント用圧接端子２２１の第２圧接部２３８ｂに圧接可能となる位置にフラットケーブル２ｂを位置決めする。
【０１６３】
フラットケーブル２ｂの端末は切欠き２０７ａ，２０７ｂで、複数本の電線６に分割されている。フラットケーブル２ｂの各切欠き２０７ａ，２０７ｂは、長さが異なるように形成され、正規組付時に電線ガイド部材２２９（図５０に示す）の突起２４１ａ，２４１ｂの端２４１ｃと合致（ぴったりと合う）して、誤組付が防止される。フラットケーブル２ｂの表裏を間違えた場合は、フラットケーブル２ｂの短い切欠き２０７ａと、長い突起２４１ｂとが干渉して規定の位置までフラットケーブル２ｂを溝２４５内に挿入できない。この異常は作業者の目視の他、電線圧接時のレーザセンサ（図示せず）による後述のスリット２４３内の検知等によっても検出される。
【０１６４】
また、電線ガイド部材２２９には、スリット２３３とスリット２３４との間にスリット２４３を設けている。スリット２４３は、電線ガイド部材２２９を貫通している。スリット２４３は、直線状に形成されかつスリット２３３と平行である。スリット２４３は、突起２４１ａ，２４１ｂに直交して続く電線検知用の窓である。
【０１６５】
また、スリット２３３と回動用のヒンジ孔（図示せず）との間において電線ガイド部材２２９の左右両側に一対の切欠部２４８が設けられている。この切欠部２４８に圧接装置２０１の位置決めピン２２５（図４７に示す）が挿通され、位置決めピン２２５で電線ガイド部材２２９が正確に位置決めされる。位置決めピン２２５は各部材２２９，２３０，２３１を貫通してベースブロック２２８の穴部２４９（図４７に示す）に進入係合し、圧接ブレード２１１，２１２とベースブロック２２８上のジョイントコネクタ２０３のコネクタハウジング２０３ａとの位置決めが正確に行われる。
【０１６６】
ベースブロック２２８には、図４８に示すように、ジョイントコネクタ２０３（図４５）を位置決めする一対の位置決めピン２５０が上向きに突設され、ジョイントコネクタ２０３のコネクタハウジング２０３ａには位置決めピン係合用の一対の穴部（図示せず）が設けられている。電線ガイド部材２２９の外面（閉止状態での上面）には手動開閉操作用の把持ピン２５１が上向きに突設されている。
【０１６７】
電線カバー２３０は電線ガイド部材２２９の内側面２２９ａに接触した状態でばね付勢のボールプランジャ２５２（図４９に示す）で電線ガイド部材２２９に固定される。それにより、電線ガイド部材２２９の内面側の電線挿通用の溝２３６に通したフラットケーブル２ａの電線６が電線カバー２３０の外面に当接する。電線ガイド部材２２９の閉止時（回動時）則ち電線ガイド部材２２９をベースブロック２２８に重ねると、フラットケーブル２ａの電線６の外れ落ちが防止される。
【０１６８】
図４８に示すように、電線ガイド部材２２９と電線カバー２３０とをベースブロック２２８側に一体に閉止させた状態（電線ガイド部材２２９と電線カバー２３０とをベースブロック２２８に重ねた状態）で、電線カバー２３０の前端部２３０ａが前方に突出し、電線カバー２３０の上面は電線ガイド部材２２９の突起２４１ａ，２４１ｂよりも下側に位置し、電線カバー２３０の前端部２３０ａに続く開口部２５３内にベースブロック２２８側の電線押さえ２５４が進入（貫通）して位置する。この時点では電線押さえ２５４はフラットケーブル２ｂを押圧していない。電線カバー２３０の前端部２３０ａは断面Ｌ字状の保護壁２５７内で外部との干渉等なく保護される。
【０１６９】
電線押さえ２５４はブロック部２５５を圧縮コイルばね２５６で上向きに付勢させて成り、ベースブロック２２８の前端側に配置されている。図４８において電線押さえ２５４の上面と電線ガイド部材２２９の突起２４１の下端との間には隙間２５８が形成されている。従って、図４８に示す電線ガイド部材２２９や電線カバー２３０の閉止状態でフラットケーブル２ｂを電線ガイド部材２２９内に水平に挿入することができる。
【０１７０】
フラットケーブル２ｂを装着した状態で電線クランプ２３１（図４８及び図４９に示す）を回動閉止することで、電線クランプ２３１の下面と電線押さえ２５４の上面（電線押さえ面）との間にフラットケーブル２ｂが挟持固定される。電線クランプ２３１は略コの字枠状のもので、電線ガイド部材２２９の外側に近接して進入し、電線クランプ２３１の前端部分（押圧部）２３１ａでフラットケーブル２ｂを押圧する。
【０１７１】
前端部２３１ａの下側に対向して電線押さえ２５４が位置し、両者２３１，２５４でフラットケーブル２ｂを挟持する。電線クランプ２３１の左右両側部でフラットケーブル２ａをベースブロック２２８ないし電線カバー２３０との間で挟持させるようにすることも可能であるが、フラットケーブル２ａは電線ガイド部材２２９（図５０に示す）の突起２３５と貫通孔８ａ，８ｂとの係合や突出ピン２４０と丸孔９との係合で位置決めされ、電線カバー２３０で外れ防止されているから、あえてその必要はない。
【０１７２】
電線クランプ２３１は閉止と同時に図４７に示すように爪部２５９でベースブロック２２８側にロック固定される。爪部２５９は電線クランプ２３１の両側部に設けられ、下向きの傾斜面と上向きの係止面を有している。爪部２５９とロック部材（ロック手段）２６０（図４７に示す）は図４９の如くそれぞれ左右両側に一対設けられている。
【０１７３】
ロック部材２６０は上端側に係合用の爪部２６１を有し、下端側を軸ピン２６２で回動自在に軸支され、コイルばね（図示せず）でロック方向に付勢されている。ロック部材２６０にはロック解除操作用のレバー（ロック解除手段）２６３（図４９に示す）が前向きに突設されている。レバー２６３を下方に倒すことでロック部材２６０が回動して爪部２５９，２６１相互の係合が解除され、電線クランプ２３１を開き可能となる。
【０１７４】
以下に図５５ないし図６１を用いて上記セット装置２０２の作用及び電線等のセット方法を詳細に説明する。
【０１７５】
先ず、セット装置２０２を取付位置に位置付けて、図５５に示すように電線ガイド部材２２９と電線クランプ２３１とを開く。電線カバー２３０をベースブロック２２８側に閉じた状態で、ベースブロック２２８上にジョイントコネクタ２０３をセットする。ジョイントコネクタ２０３は一対のピン２５０で正確に位置決めされる。
【０１７６】
また、電線ガイド部材２２９の溝２３６内にフラットケーブル２ａを挿入する。突起２３５ａ，２３５ｂをフラットケーブル２ａの貫通孔８ａ，８ｂ内に挿入するとともに、突出ピン２４０を丸孔９内に挿入する。突起２３５ａ，２３５ｂ間及び突起２３５ａ，２３５ｂと溝２３６の内側面２３７との間にフラットケーブル２ａの各電線６を挿入する。各貫通孔８ａ，８ｂと対応する突起２３５ａ，２３５ｂとが合致して、フラットケーブル２ａの各電線６は溝２３６内で、前述した突起２３５ａ，２３５ｂなどにより正確に位置決めされる。
【０１７７】
また、フラットケーブル２ａは突起２３５ａ，２３５ｂの両端と貫通孔８ａ，８ｂの両端との整合や突出ピン２４０と丸孔９との整合によって誤組付（誤配線）が防止される。各側面２３７と突起２３５ａ，２３５ｂとの間隔と、突起２３５ａ，２３５ｂ間の間隔は、フラットケーブル２ａの電線６の外径と同等である。溝２３６の深さは電線６の径の数倍程度深く、電線６則ちフラットケーブル２ａは溝２３６内で高さ方向に移動可能である。
【０１７８】
フラットケーブル２ａの各電線６を溝２３６内に挿通した後、図５６に示すように、電線カバー２３０を電線ガイド部材２２９に向けて回動させて、電線カバー２３０を電線ガイド部材２２９に重ねる。電線カバー２３０の外面２３０ｂを電線ガイド部材２２９の内面２２９ａに密着させて、電線挿通用の溝２３６を閉止する。
【０１７９】
溝２３６を画成する突起２３５と電線カバー２３０の外面２３０ｂとの間の隙間は電線６の径よりも小さく、電線６は溝２３６内で外れ落ちなく保持され、且つ隣の突起２３５間への移動も阻止される。電線カバー２３０はばね付勢のボールプランジャ２５２で電線ガイド部材２２９に係止される。電線押さえ２５４の上面（押さえ面）２５４ａは自由状態でばね２５６の付勢によりベースブロック２２８の上面（コネクタセット面）２２８ａよりも高く位置している。
【０１８０】
フラットケーブル２ａをセットした後、図５７に示すように、電線ガイド部材２２９を電線カバー２３０と一体にベースブロック２２８側に回動させて、ベースブロック２２８に重ねる。電線ガイド部材２２９や電線カバー２３０はボールプランジャ等の仮止め手段でベースブロック２２８に固定させてもよい。
【０１８１】
次いで、フラットケーブル２ｂの端末の各電線６を矢印Ｂ（図５７に示す）に沿って電線ガイド部材２２９の前端側（自由端側）から突起２４１ａ，２４１ｂ間や突起２４１ａ，２４１ｂと溝２４５の内側面との間に挿入する。フラットケーブル２ｂの端末部は電線押さえ２５４の上面で安定に支持され、電線押さえ２５４の圧縮コイルばね（弾性部材）２５６は上向きに伸びた状態となっている。電線ガイド部材２２９のスリット２４３からフラットケーブル２ｂの電線６の先端の有無を目視確認することができる。このスリット（窓）２４３は確認専用のものであり、電線６を挿通させない。こうして、電線ガイド部材２２９にフラットケーブル２ａ，２ｂがセットされる。
【０１８２】
次いで、図５８に示すように、電線クランプ２３１をベースブロック２２８に向けて回動させて閉じることにより、電線クランプ２３１の前端部２３１ａの下面がフラットケーブル２ｂの端末部を下方に押圧しつつ電線押さえ２５４をコイルばね２５６の力に抗して下降させ、電線クランプ２３１と電線押さえ２５４との間でフラットケーブル２ｂの端末部が弾性的に挟持固定される。コイルばね２５６は圧縮された状態となる。電線クランプ２３１は爪部２５９（図５７に示す）でベースブロック２２８側のロック部２６０にロック固定される。これにより、作業者がフラットケーブル２ｂから手を離してもフラットケーブル２ｂの位置がずれることがない。
【０１８３】
フラットケーブル２ｂのセットに際しては、突起２４１ａ，２４１ｂの端２４１ｃと切欠き２０７ａ，２０７ｂとの整合でフラットケーブル２ｂの誤組付（誤配線）が防止される。ここまでの行程は、図４４中でセット装置２０２を圧接装置２０１の手前に引き出した状態則ち前述した取付位置（図４８に示す状態）で行われる。こうして、電線ガイド部材２２９にフラットケーブル２ａ，２ｂを位置決めする。
【０１８４】
次いで、図５８の状態を維持しつつセット装置２０２を図５９に示すように圧接装置２０１の圧接ブレード２１１，２１２の下側に手動でスライド移動させる。セット装置２０２を圧接位置に位置付ける。この状態でレーザセンサのビームをスリット（窓）２４３内に照射してフラットケーブル２ｂの各電線６の位置を確認する。圧接ブレード２１１，２１２を一体的に、矢印Ｄに沿って下降させる。フラットケーブル２ａ，２ｂの各電線６を、同時にジョイントコネクタ２０３内の各圧接刃２１７，２１８間に圧入する。
【０１８５】
こうして、電線６をジョイント用圧接端子２２１に圧接させる。圧接ブレード２１１，２１２は電線ガイド部材２２９の各スリット２３３，２３４を通って位置ずれなく正確に各電線６に達する。
【０１８６】
次いで、セット装置２０２を手前側に引き出して（則ち取付位置に位置付けて）、図６０に示すように、電線ガイド部材２２９のみを開けてジョイントコネクタ２０３のコネクタハウジング２０３ａにカバー２６５を取り付ける。カバー２６５は作業者が上方から矢印Ｃに沿ってコネクタハウジング２０３ａに向けて押圧することで、外周の可撓性の係止枠２６６がハウジング部の係止突起に係合し、それによりカバー２６５が係止される。
【０１８７】
電線ガイド部材２２９を開いても各フラットケーブル２ａ，２ｂの各電線６は電線クランプ２３１の押圧作用で位置決め保持されているから、カバー２６５の装着を電線６の挟み込みなく容易に且つ正確に行うことができる。また、電線圧接後にその場でカバー２６５の取り付けができるから、フラットケーブル２ａ，２ｂに触れることがなく、圧接刃２１７，２１８などにストレスがかからず、接続品質が維持される。
【０１８８】
次いで、図６１に示すように、ロック部材２６０の解除用レバー２６３を下方に押して電線クランプ２３１を開く。この操作で、電線押さえ２５４のばね２５６の圧縮が解除され、電線押さえ２５４がばね２５６の付勢力で瞬間的に持ち上がり、それによってフラットケーブル２ｂが持ち上げられ、ジョイントコネクタ２０３がベースブロック２２８上に持ち上げられる（ホップアップする）。作業者は、互いに組み付けられたフラットケーブル２ａ，２ｂとジョイントコネクタ２０３をセット装置２０２から容易に取り外すことができる。
【０１８９】
このように、本実施形態では、電線６がジョイント用圧接端子２２１に圧接可能な状態にフラットケーブル２ａ，２ｂを位置決めした後、電線６を同時にジョンイト用圧接端子２２１に圧接する。
【０１９０】
フラットケーブル２ｂの中央部にランプユニット２７０を取り付ける際には、前述した圧接装置２０１と略同等の装置を用いることができる。このため、ランプユニット２７０を取り付ける圧接装置の詳細な説明を省略する。なお、ランプユニット２７０を取り付ける圧接装置２０１は、ベースブロック２２８にコネクタハウジング２７１を取り付けることができる。さらに、ランプユニット２７０を取り付ける圧接装置２０１は、圧接ブレード２１２と溝２４５とスリット２３４，２４３などを設けないのが望ましい。
【０１９１】
圧接装置２０１を用いてフラットケーブル２ｂの中央部にランプユニット２７０を取り付ける際には、ベースブロック２２８にバルブ２７２とバスバ２７３とを取り付けたコネクタハウジング２７１を一旦保持する。そして、溝２３６内にフラットケーブル２ｂをセットする。このとき、貫通孔２０８ａ，２０８ｂ内に突起２３５ａ，２３５ｂを通すとともに、丸孔２０９に突出ピン２４０を通す。
【０１９２】
こうすることで、表裏を誤ることなくフラットケーブル２ｂを電線ガイド部材２２９に位置決めする。その後、前述したフラットケーブル２ａ，２ｂをジョイントするときと同様に、一旦、電線ガイド部材２２９に電線カバー２３０を重ねた後、これら電線ガイド部材２２９と電線カバー２３０とを、同時にベースブロック２２８に重ねる。こうして、電線６がバスバ２７３の圧接部２７４則ち圧接刃２７５に圧接可能となる位置に、フラットケーブル２ｂを位置決めする。
【０１９３】
さらに、ベースブロック２２８と電線ガイド部材２２９と電線カバー２３０に電線クランプ２３１を重ねて、圧接ブレード２１１をベースブロック２２８に近づけて、フラットケーブル２ｂの各電線６をバスバ２７３の圧接部２７４に圧入する。こうして、電線６がバスバ２７３の圧接部２７４則ち圧接刃２７５に圧接可能となる位置に、フラットケーブル２ｂを一旦位置決めした後、電線６をバスバ２７３に圧接する。その後、電線クランプ２３１を回転させた後、カバー２７６をコネクタハウジング２７１に取り付ける。そして、バスバ２７３に電線６が圧接されかつカバー２７６が取り付けられたコネクタハウジング２７１をベースブロック２２８から取り外す。こうして、前述した構成のランプユニット２７０を組み立てるとともに、フラットケーブル２ｂに取り付けられる。
【０１９４】
なお、前述した圧接装置１５０の突起４４ａ，４４ｂと、圧接装置２０１の突起２３５，２３５ａ，２３５ｂと突起２４１，２４１ａ，２４１ｂとは、本明細書に記した第３突起をなしている。突出ピン２４０は、本明細書に記した第２突出ピンをなしている。
【０１９５】
また、前述した構成のワイヤハーネス１を組み立てる際には、図１４及び図１５に示す布線板３５０を用いる。このため、布線板３５０は、ワイヤハーネス１の製造用に用いられる。布線板３５０は、フラットケーブル２ａ，２ｂ則ちワイヤハーネス１を自動車に配索パターンどおりに布線するものである。布線とは、ワイヤハーネス１を構成するフラットケーブル２ａ，２ｂを後述の結き具３５２などに沿って所要形状に配線することである。
【０１９６】
布線板３５０は、図１４及び図１５に示すように、平板状の板本体３５１と、複数の結き具３５２と、ケーブル位置決め治具３５３と、外装品取り付け用治具３５４とを備えている。板本体３５１の表面３５１ａには、図示しないフラットケーブル２ａ，２ｂなどの布線パターンが描かれている。布線パターンは、フラットケーブル２ａ，２ｂ則ちワイヤハーネス１を自動車などに配索するパターンとと同等である。
【０１９７】
結き具３５２は、布線板３５０の板本体３５１の表面３５１ａ上に設置されている。結き具３５２は、図６２及び図６３に示すように、支柱３５５と電線保持部３５６とを一体に備えている。支柱３５５は、布線板３５０の板本体３５１から立設している。電線保持部３５６は、側方から見てＵ字状に形成されている。電線保持部３５６は、支柱３５５の上端に連なっている。結き具３５２は、前記表面３５１ａ上に形成された布線パターンに応じて配されている。
【０１９８】
結き具３５２は、電線保持部３５６内に通して、フラットケーブル２ａ，２ｂを布線する。結き具３５２は、電線保持部３５６内で屈曲させて則ち電線保持部３５６に引っかけることにより、フラットケーブル２ａ，２ｂを布線板３５０の板本体３５１の表面３５１ａ上に布線する。
【０１９９】
ケーブル位置決め治具３５３は、フラットケーブル２ａ，２ｂを布線板３５０上に位置決めする。これらケーブル位置決め治具３５３は、構成が略同等であるので、以下フラットケーブル２ａを位置決めするケーブル位置決め治具３５３を代表して説明する。ケーブル位置決め治具３５３は、前記表面３５１ａ上に形成された布線パターンに応じて配されている。ケーブル位置決め治具３５３は、図６４に示すように、本体部３５７と、複数の突起３５８と、突出ピン３５９とを備えている。本体部３５７は、支柱３６０と、平板部３６１とを備えている。支柱３６０は、布線板３５０の板本体３５１から立設している。平板部３６１は、平板状に形成されている。平板部３６１は、支柱３６０の上端に取り付けられている。平板部３６１の表面３６１ａは、布線板３５０の板本体３５１の表面３５１ａと平行である。平板部３６１は、表面３６１ａ上にフラットケーブル２ａを位置付ける。なお、平板部３６１の表面３６１ａは、本明細書に記した表面をなしている。
【０２００】
突起３５８は、本明細書に記した第２突起をなしている。突起３５８は、複数設けられかつ前記表面３６１ａから突出している。突起３５８の長さは、貫通孔８ａ，８ｂの長さに等しい。複数の突起３５８の長さは、互いに等しい。突起３５８の幅は、貫通孔８ａ，８ｂの幅に等しい。このため、突起３５８の平面形状は、貫通孔８ａ，８ｂの形状に沿った矩形状に形成されている。
【０２０１】
複数の突起３５８の長手方向は、互いに平行であるとともに、表面３６１ａ上に位置付けられるフラットケーブル２ａの長手方向と平行である。互いに隣り合う突起３５８間に間隔は、フラットケーブル２ａの電線６の外径と等しい。
【０２０２】
また、図６４中最も奥に位置する突起３５８（以下符号３５８ａと示す）の両端と、他の突起３５８（以下符号３５８ｂと示す）の両端とは、表面３６１ａ上に位置付けられるフラットケーブル２ａの長手方向にずれている。突起３５８ａの両端と、他の突起３５８ｂの両端とのずれ量は、貫通孔８ａ，８ｂの両端間のずれ量と等しい。このため、表面３６１ａにフラットケーブル２ａを位置付けると、貫通孔８ａ，８ｂ内に突起３５８ａ，３５８ｂが侵入して、これらの貫通孔８ａ，８ｂと突起３５８ａ，３５８ｂとが合致する（ぴったりとあう）。
【０２０３】
突出ピン３５９は、表面３６１ａから突出している。突出ピン３５９は、貫通孔８ａ，８ｂ内に突起３５８ａ，３５８ｂが侵入して、これらの貫通孔８ａ，８ｂと突起３５８ａ，３５８ｂとが合致すると、前述した丸孔９内に侵入する。
【０２０４】
前述した構成のケーブル位置決め治具３５３は、表面３６１ａ上にフラットケーブル２ａを位置付ける。前述した構成のケーブル位置決め治具３５３は、図６５に示すように、貫通孔８ａ，８ｂ内に突起３５８ａ，３５８ｂを挿入し、丸孔９内に突出ピン３５９を挿入して、フラットケーブル２ａを布線板３５０の所定の位置に位置決めする。
【０２０５】
ケーブル位置決め治具３５３では、フラットケーブル２ａ表裏を誤ると、貫通孔８ａ，８ｂと突起３５８ａ，３５８ｂが干渉し、丸孔９と突出ピン３５９とが干渉する。そして、ケーブル位置決め治具３５３は、フラットケーブル２ａを布線板３５０上に位置決めできない。このように、ケーブル位置決め治具３５３は、貫通孔８ａ，８ｂと突起３５８ａ，３５８ｂとを整合（合致）させ、丸孔９と突出ピン３５９とを整合（合致）させることで、フラットケーブル２ａを布線板３５０上に表裏を誤ることなく位置決めできるようにしている。フラットケーブル２ｂを位置決めするケーブル位置決め治具３５３は、突起３５８ａ，３５８ｂが貫通孔２０８ａ，２０８ｂと同数設けられ、これらのずれ量が貫通孔２０８ａ，２０８ｂのずれ量と等しくなっている。フラットケーブル２ｂを位置決めするケーブル位置決め治具３５３は、突起３５８ａ，３５８ｂが貫通孔２０８ａ，２０８ｂ内に侵入し、突出ピン３５９が丸孔２０９内に侵入することで、布線板３５０上にフラットケーブル２ｂを位置決めする。
【０２０６】
外装品取り付け用治具３５４は、フラットケーブル２ａ，２ｂを布線板３５０上に位置決めする。これら外装品取り付け用治具３５４は、構成が略同等であるので、以下フラットケーブル２ｂを位置決めする外装品取り付け用治具３５４を代表して説明する。外装品取り付け用治具３５４は、前記表面３５１ａ上に形成された布線パターンに応じて配されている。外装品取り付け用治具３５４は、図６６に示すように、本体部３６２と、複数の突起３６３と、突出ピン３６４とを備えている。本体部３６２は、支柱３６５と、平板部３６６とを備えている。支柱３６５は、布線板３５０の板本体３５１から立設している。平板部３６６は、平板状に形成されている。平板部３６６は、支柱３６５の上端に取り付けられている。平板部３６６の表面３６６ａは、布線板３５０の板本体３５１の表面３５１ａと平行である。平板部３６６は、表面３６６ａ上にフラットケーブル２ｂを位置付ける。なお、平板部３６６の表面３６６ａは、本明細書に記した表面をなしている。
【０２０７】
突起３６３は、本明細書に記した第２突起をなしている。突起３６３は、複数設けられかつ前記表面３６６ａから突出している。突起３６３の長さは、貫通孔２０８ａ，２０８ｂより短い。則ち、突起３６３は、突起３５８より短い。突起３６３の幅は、貫通孔２０８ａ，２０８ｂの幅に等しい。突起３６３の平面形状は、矩形状に形成されている。
【０２０８】
複数の突起３６３の長手方向は、互いに平行であるとともに、表面３６６ａ上に位置付けられるフラットケーブル２ｂの長手方向と平行である。互いに隣り合う突起３６３間に間隔は、フラットケーブル２ｂの電線６の外径と等しい。
【０２０９】
また、図６６中奥に位置する一つの突起３６３（以下符号３６３ａと示す）は、他の突起３６３（以下符号３６３ｂと示す）より長い。このため、一つの突起３６３ａの一方の端と、突起３６３ｂの一方の端とは、表面３６６ａ上に位置付けられるフラットケーブル２ｂの長手方向にずれている。突起３６３ａの一方の端と、他の突起３６３ｂの一方の端とのずれ量は、貫通孔２０８ａ，２０８ｂの両端間のずれ量と等しい。このため、表面３６６ａにフラットケーブル２ｂを位置付けると、貫通孔２０８ａ，２０８ｂ内に突起３６３ａ，３６３ｂが侵入して、これらの貫通孔２０８ａ，２０８ｂの一方の端と突起３６３ａ，３６３ｂの一方の端とが合致する（ぴったりとあう）。
【０２１０】
突出ピン３６４は、表面３６６ａから突出している。突出ピン３６４は、貫通孔２０８ａ，２０８ｂ内に突起３６３ａ，３６３ｂが侵入して、これらの貫通孔２０８ａ，２０８ｂの一方の端と突起３６３ａ，３６３ｂの一方の端とが合致すると、前述した丸孔２０９内に侵入する。
【０２１１】
前述した構成の外装品取り付け用治具３５４は、表面３６６ａ上にフラットケーブル２ｂを位置付ける。外装品取り付け用治具３５４は、貫通孔２０８ａ，２０８ｂ内に突起３６３ａ，３６３ｂを挿入し、丸孔２０９内に突出ピン３６４を挿入する。そして、外装品取り付け用治具３５４の突起３６３ａ，３６３ｂの一方の端と貫通孔２０８ａ，２０８ｂの一方の端とを合致させて、フラットケーブル２ｂを布線板３５０の所定の位置に位置決めする。
【０２１２】
さらに、外装品取り付け用治具３５４は、図６７に示すように、貫通孔２０８ａ，２０８ｂ内に配線用クリップ３００の突起３０６が侵入することを許容する。配線用クリップ３００の突起３０６を貫通孔２０８ａ，２０８ｂ内に挿入する際には、本体部３０１の表面３０４ａ上にフラットケーブル２ｂを位置付け、貫通孔２０８ａ，２０８ｂ内に突起３０６を挿入する。このとき、貫通孔２０８ａ，２０８ｂの他方の端と突起３０６の一方の端とを合致させる。
【０２１３】
外装品取り付け用治具３５４では、フラットケーブル２ｂの表裏を誤ると、貫通孔２０８ａ，２０８ｂと突起３６３ａ，３６３ｂが干渉し、丸孔２０９と突出ピン３６４とが干渉する。外装品取り付け用治具３５４は、フラットケーブル２ｂを布線板３５０上に位置決めできない。このように、外装品取り付け用治具３５４は、貫通孔２０８ａ，２０８ｂと突起３６３ａ，３６３ｂとを整合（合致）させ、丸孔２０９と突出ピン３６４とを整合（合致）させることで、フラットケーブル２ｂを布線板３５０上に、表裏を誤ることなく位置決めできるようにしている。フラットケーブル２ａを位置決めする外装品取り付け用治具３５４は、突起３６３ａ，３６３ｂが貫通孔８ａ，８ｂと同数設けられ、これらのずれ量が貫通孔８ａ，８ｂのずれ量と等しくなっている。フラットケーブル２ａを位置決めする外装品取り付け用治具３５４は、突起３６３ａ，３６３ｂが貫通孔８ａ，８ｂ内に侵入し、突出ピン３６４が丸孔９内に侵入することで、布線板３５０上にフラットケーブル２ａを位置決めする。
【０２１４】
前述した構成のケーブル位置決め治具３５３と外装品取り付け用治具３５４とは、本明細書に記した位置決め治具をなしている。
【０２１５】
前述した構成のワイヤハーネス１を組み立てる際には、まず、図１３中のステップＳ１で、フラットケーブル２ａ，２ｂを所定の長さに切断する。フラットケーブル２ａ，２ｂの所定箇所の連結部５を除去して、切欠き７ａ，７ｂ，２０７ａ，２０７ｂと貫通孔８ａ，８ｂ，２０８ａ，２０８ｂとを形成する。さらに、コネクタハウジング１０１に圧接端子１００を取り付け、コネクタハウジング２０３ａにジョイント用圧接端子２２１を取り付けるとともにコネクタハウジング２７１にバルブ２７２とバスバ２７３とを取り付けて、ステップＳ２に進む。
【０２１６】
ステップＳ２では、圧接装置１５０を用いて、フラットケーブル２ａの端末の電線６を圧接端子１００に圧接する。フラットケーブル２ａの端末にコネクタ１２０を取り付ける。圧接装置２０１を用いて、フラットケーブル２ｂの端末の電線６と、フラットケーブル２ａの中央部に位置する電線６とをジョイント用圧接端子２２１に圧接する。フラットケーブル２ａの中央部とフラットケーブル２ｂの端末とを接続（ジョイント）して、ジョイントコネクタ２０３を組み立てる。
【０２１７】
さらに、ステップＳ２では、圧接装置２０１を用いて、フラットケーブル２ａ，２ｂの中央部の電線６の所定箇所をバスバ２７３の圧接部２７４に圧接する。フラットケーブル２ａ，２ｂの所定箇所にランプユニット２７０を取り付けるとともに、ランプユニット２７０を組み立てて、ステップＳ３に進む。
【０２１８】
ステップＳ３では、図１４に示すように、布線板３５０の板本体３５１の表面３５１ａ上にフラットケーブル２ａ，２ｂを布線する。このとき、結き具３５２の電線保持部３５６内に通したり電線保持部３５６に引っかけて、フラットケーブル２ａ，２ｂをスリットとしての貫通孔８ａ，８ｂ，２０８ａ，１０８ｂが形成された箇所で曲げて布線する。また、図６５に示すように、ケーブル位置決め治具３５３の突起３５８ａ，３５８ｂを貫通孔８ａ，８ｂ内に挿入し、突出ピン３５９を丸孔９内に挿入する。貫通孔８ａ，８ｂの両端と突起３５８ａ，３５８ｂの両端とが合致して、ケーブル位置決め治具３５３でフラットケーブル２ａを布線板３５０の表面３５１ａ上に位置決めする。
【０２１９】
さらに、図６７に示すように、外装品取り付け用治具３５４の突起３６３ａ，３６３ｂを貫通孔８ａ，８ｂ，２０８ａ，２０８ｂ内に挿入し、突出ピン３５９を丸孔９内に挿入する。貫通孔８ａ，８ｂ，２０８ａ，２０８ｂの一方の端と突起３６３ａ，３６３ｂの一方の端とを合致させて、外装品取り付け用治具３５４でフラットケーブル２ａ，２ｂを布線板３５０の表面３５１ａ上に位置決めする。そして、ステップＳ４に進む。
【０２２０】
ステップＳ４では、貫通孔８ａ，８ｂ，２０８ａ，２０８ｂ内に突起３０６を通すとともに、本体部３０１の表面３０４ａ上にフラットケーブル２ａ，２ｂを位置付けて、図１５に示すように、フラットケーブル２ａ，２ｂの所定箇所に配線用クリップ３００を取り付ける。そして、ヒンジ３０７を中心として配線用クリップ３００のカバー部３０３を回転させて、図６８に示すように、係合部３０８を係合受け部に係合させる。カバー部３０３で一対の側壁３０５間を塞いだ後、配線用クリップ３００とフラットケーブル２ａ，２ｂの外周にテープを巻く。こうして、外装品としての配線用クリップ３００を取り付けて、ワイヤハーネス１を組み立てて、ステップＳ５に進む。
【０２２１】
ステップＳ５では、ワイヤハーネス１に外観検査を施すとともに導通検査を施して、ワイヤハーネス１の良否を判定する。こうして、ワイヤハーネス１を組み立てる。
【０２２２】
本実施形態によれば、切欠き７ａ，７ｂ，２０７ａ，２０７ｂと貫通孔８ａ，８ｂ，２０８ａ，２０８ｂ内に突起４４ａ，４４ｂ，２３５ａ，２３５ｂ，２４１ａ，２４１ｂを挿入してフラットケーブル２ａ，２ｂを位置決めする。このため、電線６を圧接端子１００，２２１，２７３に圧接可能となる位置に確実に位置決めできる。したがって、容易で確実に圧接端子１００，２２１，２７３にフラットケーブル２ａ，２ｂの電線６を圧接できる。
【０２２３】
また、貫通孔８ａ，８ｂ，２０８ａ，２０８ｂ内に突起３５８ａ，３５８ｂ，３６３ａ，３６３ｂを挿入し、かつ結き具３５２に引っかけるなどしてスリットとしての貫通孔８ａ，８ｂ，２０８ａ，２０８ｂが形成された箇所で曲げてフラットケーブル２ａ，２ｂを布線板３５０上に位置決めする。貫通孔８ａ，８ｂ，２０８ａ，２０８ｂが形成された箇所で曲げるため、布線板３５０の表面３５１ａ上に確実にフラットケーブル２ａ，２ｂの電線６を位置決めできるとともに、フラットケーブル２ａ，２ｂの位置ずれを防止できる。さらに、突起３０６を貫通孔８ａ，８ｂ内に挿入して、フラットケーブル２ａ，２ｂに配線用クリップ３００を取り付けるため、配線用クリップ３００と電線６とを確実に所定の位置関係に位置決めできる。したがって、ワイヤハーネス１を容易に組み立てることができる。
【０２２４】
また、圧接装置１５０，２０１での位置決めと布線板３５０上での位置決めと配線用クリップ３００の位置決めに、フラットケーブル２ａ，２ｂの同じ切欠き７ａ，７ｂ，２０７ａ，２０７ｂと貫通孔８ａ，８ｂ，２０８ａ，２０８ｂを用いることができる。このため、フラットケーブル２ａ，２ｂに施す加工にかかる工数などの増加を抑制できる。したがって、フラットケーブル２ａ，２ｂ則ちワイヤハーネス１のコストの高騰を抑制できる。
【０２２５】
切欠き７ａ，７ｂ，２０７ａ，２０７ｂと貫通孔８ａ，８ｂ，２０８ａ，２０８ｂの端が長手方向にずれており、各突起４４ａ，４４ｂ，２３５ａ，２３５ｂ，２４１ａ，２４１ｂ，３５８ａ，３５８ｂ，３６３ａ，３６３ｂが対応する切欠き７ａ，７ｂ，２０７ａ，２０７ｂと貫通孔８ａ，８ｂ，２０８ａ，２０８ｂ内に侵入すると、突起４４ａ，４４ｂ，２３５ａ，２３５ｂ，２４１ａ，２４１ｂ，３５８ａ，３５８ｂ，３６３ａ，３６３ｂの端が切欠き７ａ，７ｂ，２０７ａ，２０７ｂと貫通孔８ａ，８ｂ，２０８ａ，２０８ｂの端に合致する。このため、表裏を誤ることなく、長手方向と幅方向との双方にフラットケーブル２ａ，２ｂを確実に位置決めできる。さらに、フラットケーブル２ａ，２ｂ同士の間違い則ちフラットケーブル２ａ，２ｂの誤組み付けを防止できる。したがって、ワイヤハーネス１を容易に組み立てることができる。
【０２２６】
電線ガイド部材２２９の溝２３６の底面２３６ａから突出した突出ピン２４０を丸孔９内に挿入して、フラットケーブル２ａを位置決めする。このため、フラットケーブル２ａを、電線ガイド部材２２９の所定の位置に確実に位置決めできるとともに、表裏を誤ることなく、フラットケーブル２ａを確実に位置決めできるとともに、フラットケーブル２ａの誤組み付けを防止できる。フラットケーブル２ａの電線６を確実にジョイント用圧接端子２２１に圧接できる。
【０２２７】
また、各治具３５３，３５４の表面３６１ａ，３６６ａから突出した突出ピン３５９，３６４をフラットケーブル２ａ，２ｂの丸孔９，２０９内に挿入して、フラットケーブル２ａ，２ｂを位置決めする。このため、フラットケーブル２ａ，２ｂを、布線板３５０の所定の位置に確実に位置決めできるとともに、表裏を誤ることなく、フラットケーブル２ａ，２ｂを確実に位置決めできるとともに、フラットケーブル２ａ，２ｂの誤組み付けを防止できる。したがって、ワイヤハーネス１を容易でかつ確実に組み立てることができる。
【０２２８】
ケーブル位置決め治具３５３の突起３５８ａ，３５８ｂの両端と、貫通孔８ａ，８ｂ，２０８ａ，２０８ｂの両端とが合致する。このため、布線板３５０に確実にフラットケーブル２ａ，２ｂを位置決めできるとともに、布線板３５０上に位置決めしたフラットケーブル２ａ，２ｂが位置ずれすることを防止できる。したがって、ワイヤハーネス１を容易に組み立てることができる。
【０２２９】
さらに、前述した実施形態のワイヤハーネス１は、スリットとしての貫通孔８ａ，８ｂ，２０８ａ，２０８ｂが形成された箇所で曲げられて、自動車などに配索される。貫通孔８ａ，８ｂ，２０８ａ，２０８ｂが形成された箇所が他の箇所より剛性が低いため、ワイヤハーネス１は、自動車などに容易に配索できる。
【０２３０】
前述した実施形態では、外装品として配線用クリップ３００を示している。しかしながら、本発明では、外装品として周知のハーネス用プロテクタなどを用いても良い。ハーネス用プロテクタの場合も、表面上にフラットケーブル２ａ，２ｂを位置付ける本体部の表面から突出した突起を設け、突起を貫通孔８ａ，８ｂ，２０８ａ，２０８ｂ内に挿入するのが望ましい。
【０２３１】
前述した実施形態では、以下のワイヤハーネスの組立方法とワイヤハーネスが得られる。
（付記１）複数のフラットケーブル２ａ，２ｂと、前記フラットケーブル２ａ，２ｂに取り付けられたコネクタ１２０，２７０と、複数のフラットケーブル２ａ，２ｂ同士を接続するジョイントコネクタ２０３と、前記フラットケーブル２ａ，２ｂに取り付けられた配線用クリップ３００とを備えたワイヤハーネス１を組み立てるワイヤハーネス１の組立方法において、
フラットケーブル２ａ，２ｂは、複数の電線６と、互いに隣り合う電線６同士を連結する連結部５とを備えており、前記フラットケーブル２ａ，２ｂの連結部５にはそれぞれ切欠き７ａ，７ｂ，２０７ａ，２０７ｂ及び貫通孔８ａ，８ｂ，２０８ａ，２０８ｂが形成されており、
前記配線用クリップ３００は、表面３０４ａ上に前記フラットケーブル２ａ，２ｂを位置付ける本体部３０１と、前記本体部３０１の表面３０４ａから突出しかつ前記貫通孔８ａ，８ｂ，２０８ａ，２０８ｂ内に侵入可能な突起３０６とを備えており、
前記フラットケーブル２ａ，２ｂにコネクタ１２０，２７０及びジョイントコネクタ２０３を取り付けた後、
ワイヤハーネス製造用の布線板３５０に設置されかつ前記フラットケーブル２ａ，２ｂを前記布線板３５０に位置決めする位置決め治具３５３，３５４の表面３６１ａ，３６６ａ上に前記フラットケーブル２ａ，２ｂを位置付けて、前記表面３６１ａ，３６６ａから突出した第２突起３５８ａ，３５８ｂ，３６３ａ，３６３ｂを前記貫通孔８ａ，８ｂ，２０８ａ，２０８ｂに挿入するとともに、前記布線板３５０に設置された結き具３５２に布線して、前記フラットケーブル２ａ，２ｂを前記スリット８ａ，８ｂ，２０８ａ，２０８ｂが形成された箇所で曲げて、布線板３５０上に位置決めし、
前記配線用クリップ３００の突起３０６を前記フラットケーブル２ａ，２ｂの貫通孔８ａ，８ｂ，２０８ａ，２０８ｂ内に挿入するとともに、フラットケーブル２ａ，２ｂを前記本体部３０１の表面３０４ａ上に位置付けて、前記配線用クリップ３００を前記フラットケーブル２ａ，２ｂに取り付けることを特徴とするワイヤハーネス１の組立方法。
【０２３２】
（付記２）前記フラットケーブル２ａ，２ｂの電線６を前記コネクタ１２０，２７０及びジョイントコネクタ２０３に取り付ける際には、前記コネクタ１２０，２７０及びジョイントコネクタ２０３の圧接端子１００，２７３，２２１に圧接する圧接装置１５０，２０１の位置決め部３６，２２９の表面４２ａ，２３６ａ上に前記フラットケーブル２ａ，２ｂを位置付けて、前記表面４２ａ，２３６ａ，２４５ａから突出した第３突起４４ａ，４４ｂ，２３５ａ，２３５ｂ，２４１ａ，２４１ｂを前記切欠き７ａ，７ｂ，２０７ａ，２０７ｂ及び貫通孔８ａ，８ｂ，２０８ａ，２０８ｂに挿入して、前記電線６が前記圧接端子１００，２７３，２２１に圧接可能となる位置に前記フラットケーブル２ａ，２ｂを位置決めした後、前記フラットケーブル２ａ，２ｂの電線６を前記圧接端子１００，２７３，２２１に圧接して、フラットケーブル２ａ，２ｂにコネクタ１２０，２７０を取り付けるとともに前記ジョイントコネクタ２０３でフラットケーブル２ａ，２ｂ同士を接続することを特徴とする付記１記載のワイヤハーネスの組立方法。
【０２３３】
（付記３）前記切欠き７ａ，７ｂ，２０７ａ，２０７ｂ及び貫通孔８ａ，８ｂ，２０８ａ，２０８ｂは、前記フラットケーブル２ａ，２ｂの長手方向に沿って延びた矩形状に形成されかつ前記フラットケーブル２ａ，２ｂの幅方向に並んでいるとともに、
前記フラットケーブル２ａ，２ｂの幅方向に沿って並んだ複数の切欠き７ａ，７ｂ，２０７ａ，２０７ｂ及び貫通孔８ａ，８ｂ，２０８ａ，２０８ｂのうち少なくとも２つの切欠き７ａ，７ｂ，２０７ａ，２０７ｂ及び貫通孔８ａ，８ｂ，２０８ａ，２０８ｂの端は、前記フラットケーブル２ａ，２ｂの長手方向にずれており、
前記突起３０６の平面形状は対応する貫通孔８ａ，８ｂ，２０８ａ，２０８ｂの形状に沿って矩形状に形成されており、少なくとも２つの突起３０６の端は、フラットケーブル２ａ，２ｂの長手方向にずれているとともに、対応する貫通孔８ａ，８ｂ，２０８ａ，２０８ｂ内に侵入すると前記突起４４の端は貫通孔８ａ，８ｂ，２０８ａ，２０８ｂの端に合致し、
前記第２突起３５８ａ，３５８ｂ，３６３ａ，３６３ｂの平面形状は対応する貫通孔８ａ，８ｂ，２０８ａ，２０８ｂの形状に沿って矩形状に形成されており、少なくとも２つの第２突起３５８ａ，３５８ｂ，３６３ａ，３６３ｂの端は、フラットケーブル２ａ，２ｂの長手方向にずれているとともに、対応する貫通孔８ａ，８ｂ，２０８ａ，２０８ｂ内に侵入すると前記第２突起３５８ａ，３５８ｂ，３６３ａ，３６３ｂの端は貫通孔８ａ，８ｂ，２０８ａ，２０８ｂの端に合致し、
各突起３０６，３５８ａ，３５８ｂ，３６３ａ，３６３ｂを対応する切欠き７ａ，７ｂ，２０７ａ，２０７ｂ及び貫通孔８ａ，８ｂ，２０８ａ，２０８ｂ内に挿入してフラットケーブル２ａ，２ｂを位置決めすることを特徴とする付記１記載のワイヤハーネス１の組立方法。
【０２３４】
（付記４）少なくとも一つの連結部５には丸孔９，２０９が貫通しており、
前記位置決め治具３５３，３５４の表面３６１ａ，３６６ａから突出した突出ピン３５９，３６４が設けられており、
各第２突起３５８ａ，３５８ｂ，３６３ａ，３６３ｂを対応する貫通孔８ａ，８ｂ，２０８ａ，２０８ｂ内に挿入し、前記突出ピン３５９，３６４を前記丸孔９，２０９内に挿入して、フラットケーブル２ａ，２ｂを位置決めすることを特徴とする付記１または付記３記載のワイヤハーネス１の組立方法。
【０２３５】
（付記５）前記位置決め治具３５３の表面３６１ａから突出した第２突起３５８ａ，３５８ｂの両端は、対応する貫通孔８ａ，８ｂ，２０８ａ，２０８ｂの両端に合致することを特徴とする付記１ないし付記４のうちいずれか一項に記載のワイヤハーネス１の組立方法。
【０２３６】
【発明の効果】
以上説明したように請求項１に記載の本発明は、スリット内に第２突起を挿入してフラットケーブルを位置決めする。このため、布線板上に確実に電線を位置決めできる。また、スリットが形成された箇所で曲げてフラットケーブルを結き具で布線する。スリットが形成された箇所ではフラットケーブルの剛性が低下している。このため、フラットケーブルを布線板上に容易でかつ確実に布線できる。さらに、突起をスリット内に挿入して、フラットケーブルに外装品を取り付けるため、外装品と電線とを確実に所定の位置関係に位置決めできる。したがって、ワイヤハーネスを容易に組み立てることができる。
【０２３７】
請求項２に記載の本発明は、スリット内に第３突起を挿入してフラットケーブルを位置決めする。このため、電線を圧接端子に圧接可能となる位置に確実に位置決めできる。したがって、容易で確実に圧接端子に電線を圧接できる。したがって、ワイヤハーネスを容易に組み立てることができる。
【０２３８】
請求項３に記載された本発明によれば、スリットの端が長手方向にずれており、各突起が対応するスリット内に侵入すると、突起の端がスリットの端に合致する。このため、表裏を誤ることなく、フラットケーブルを確実に位置決めでき、かつ長手方向と幅方向との双方にフラットケーブルを位置決めできるとともに、フラットケーブルの誤組み付けを防止できる。したがって、ワイヤハーネスを容易で確実に組み立てることができる。
【０２３９】
請求項４に記載された本発明によれば、スリットの端が長手方向にずれており、第３突起が対応するスリット内に侵入すると、第３突起の端がスリットの端に合致する。このため、表裏を誤ることなく、フラットケーブルを確実に位置決めできる。このため、電線を圧接端子に圧接可能となる位置に確実に位置決めできる。したがって、ワイヤハーネスを容易で確実に組み立てることができる。
【０２４０】
請求項５に記載された本発明によれば、位置決め部材の表面から突出した突出ピンをフラットケーブルの連結部を貫通した丸孔内に通して、フラットケーブルを位置決めする。このため、フラットケーブルを所定の位置に確実に位置決めでき、かつ表裏を誤ることなくフラットケーブルを確実に位置決めできる。さらに、長手方向と幅方向との双方にフラットケーブルを位置決めできるとともに、フラットケーブルの誤組み付けを防止できる。したがって、ワイヤハーネスを容易で確実に組み立てることができる。
【０２４１】
請求項６に記載された本発明によれば、位置決め部の表面から突出した第２突出ピンをフラットケーブルの連結部を貫通した丸孔内に通して、フラットケーブルを位置決めする。このため、フラットケーブルを所定の位置に確実に位置決めできるとともに、表裏を誤ることなく、フラットケーブルを確実に位置決めできる。したがって、電線を圧接端子に圧接可能となる位置にフラットケーブルを確実に位置決めでき、ワイヤハーネスを容易で確実に組み立てることができる。
【０２４２】
請求項７に記載された本発明によれば、位置決め治具の第２突起の両端と、スリットの両端とが合致する。このため、布線板に確実にフラットケーブルを位置決めできるとともに、布線板上に位置決めしたフラットケーブルが位置ずれすることを防止できる。したがって、ワイヤハーネスを容易に組み立てることができる。
【０２４３】
請求項８に記載された本発明によれば、フラットケーブルの連結部にスリットが形成されている。スリットが形成された箇所では、フラットケーブルの剛性が低下している。このため、スリットが形成された箇所で曲げられているため、ワイヤハーネス製造用の布線板に容易に布線できるとともに自動車などに容易に配索できる。
【図面の簡単な説明】
【図１】本発明の一実施形態にかかるワイヤハーネスの構成を示す説明図である。
【図２】図１に示されたワイヤハーネスのフラットケーブルの斜視図である。
【図３】図１に示されたワイヤハーネスの他のフラットケーブルの斜視図である。
【図４】図２中のＩＶ−ＩＶ線に沿う断面図である。
【図５】図３中のＶ−Ｖ線に沿う断面図である。
【図６】図１に示されたワイヤハーネスのコネクタの斜視図である。
【図７】図６に示されたコネクタの圧接端子を示す斜視図である。
【図８】図６に示されたコネクタを分解して示す斜視図である。
【図９】図１に示されたワイヤハーネスのランプユニットを示す斜視図である。
【図１０】図９に示されたランプユニットを分解して示す斜視図である。
【図１１】図１に示されたワイヤハーネスの配線用クリップの斜視図である。
【図１２】図１１に示された配線用クリップを分解して示す斜視図である。
【図１３】図１に示されたワイヤハーネスを組み立てる工程を示すフローチャートである。
【図１４】図２及び図３に示されたフラットケーブルを布線板上に布線した状態を示す説明図である。
【図１５】図１３に示された状態から配線用クリップを取り付けた状態を示す説明図である。
【図１６】図２に示されたフラットケーブルに図６に示されたコネクタを取り付ける圧接装置を示す正面図である。
【図１７】図１６中の矢印ＩＩ方向からみた圧接装置を一部断面で示す図である。
【図１８】図１６に示された圧接装置のコネクタ保持治具を示す平面図である。
【図１９】図１８中のＡ−Ａ線に沿う断面図である。
【図２０】図１６に示された圧接装置のチャック部を示す正面図である。
【図２１】図２０に示されたチャック部を一部断面で示す側面図である。
【図２２】図１６に示された圧接装置の第１のガイド部材が取り付けられたブレード部と案内部材の正面を一部断面で示す図である。
【図２３】図２２に示されたブレード部と案内部材の正面を一部断面で示す図である。
【図２４】図２２中の矢印Ｂ方向からみた図である。
【図２５】図２２中のＣ−Ｃ線に沿う断面図である。
【図２６】図２４中のＤ―Ｄ線に沿う断面図である。
【図２７】図２６中のＥ−Ｅ線に沿う断面図である。
【図２８】図２６中のＦ―Ｆ線に沿う断面図である。
【図２９】図２６中のＧ−Ｇ線に沿う断面図である。
【図３０】図１６に示された圧接装置のデュアルシリンダの一方のシリンダ本体が駆動しかつチャックシリンダが第１の状態となった状態の要部を一部断面で示す側面図である。
【図３１】図３０に示された状態で凹溝内に電線が挿入され始めた状態を一部断面で示す側面図である。
【図３２】図３１に示された状態から電線が接触センサに接触した状態を一部断面で示す側面図である。
【図３３】図２６に示された第１のガイド部材にフラットケーブルがセットされた状態を示す断面図である。
【図３４】図３３中のＨ−Ｈ線に沿う断面図である。
【図３５】図３３中のＩ―Ｉ線に沿う断面図である。
【図３６】図３３中のＪ−Ｊ線に沿う断面図である。
【図３７】図３２に示された状態から電線を圧接端子に圧接し始めた状態を一部断面で示す側面図である。
【図３８】図３７に示された状態から電線を圧接端子に圧接した状態を一部断面で示す側面図である。
【図３９】図３０に示された状態の案内部材と圧接ブレードとを示す図である。
【図４０】図３９に示された状態の案内部材の圧接ブレード通し孔に電線が挿入された状態を示す図である。
【図４１】図３７に示された状態の案内部材と圧接ブレードとを示す図である。
【図４２】図３８に示された状態の案内部材と圧接ブレードとを示す図である。
【図４３】図２６に示された第１のガイド部材にフラットケーブルが誤った状態でセットされた状態を示す断面図である。
【図４４】図２に示されたフラットケーブルと図３に示されたフラットケーブルとをジョイントする圧接装置を示す斜視図である。
【図４５】（ａ）は図１に示されたワイヤハーネスの要部を拡大して示す平面図であり、（ｂ）は図４５（ａ）中のジョイントコネクタ内の圧接端子の一形態を示す斜視図である。
【図４６】図４４に示された圧接装置の詳細を示す要部正面図である。
【図４７】図４６に示された圧接装置の詳細を示す要部側面図である。
【図４８】図４６に示された圧接装置の要部縦断面図である。
【図４９】図４６に示された圧接装置のセット装置を示す平面図である。
【図５０】図４９に示されたセット装置の電線ガイド部材の内面を示す平面図である。
【図５１】図５０中のＫ−Ｋ線に沿う断面図である。
【図５２】図５０中のＬ−Ｌ線に沿う断面図である。
【図５３】図５０中のＭ−Ｍ線に沿う断面図である。
【図５４】図５０中のＮ−Ｎ線に沿う断面図である。
【図５５】図４９に示されたセット装置を用いた電線等のセット方法の第一行程（ジョイントコネクタとＸ方向のケーブルのセット）を示す側面図である。
【図５６】図４９に示されたセット装置を用いた電線等のセット方法の第二行程（電線カバーのセット）を示す側面図である。
【図５７】図４９に示されたセット装置を用いた電線等のセット方法の第三行程（電線ガイドとＹ方向のケーブルのセット）を示す側面図である。
【図５８】図４９に示されたセット装置を用いた電線等のセット方法の第四行程（電線クランプのセット）を示す側面図である。
【図５９】図４９に示されたセット装置を用いた電線等のセット方法の第五行程（圧接行程）を示す側面図である。
【図６０】図４９に示されたセット装置を用いた電線等のセット方法の第六行程（コネクタカバーの装着）を示す側面図である。
【図６１】図４９に示されたセット装置を用いた電線等のセット方法の第七行程（ジョイントコネクタの取り出し）を示す側面図である。
【図６２】図１４に示された布線板上に設置された結き具の斜視図である。
【図６３】図６２中のＯ−Ｏ線に沿う断面図である。
【図６４】図１４に示された布線板上に設置されたケーブル位置決め治具の斜視図である。
【図６５】図６４に示されたケーブル位置決め治具にフラットケーブルを位置決めした状態を示す斜視図である。
【図６６】図１４に示された布線板上に設置された外装品取り付け用治具の斜視図である。
【図６７】図６６に示されたケーブル位置決め治具にフラットケーブルを位置決めした状態などを示す斜視図である。
【図６８】図６７に示された状態の配線用クリップのカバーを閉じた状態を示す斜視図である。
【符号の説明】
１  ワイヤハーネス
２ａ  フラットケーブル
２ｂ  フラットケーブル
５  連結部
６  電線
７，７ａ，７ｂ  切欠き（スリット）
８，８ａ，８ｂ  貫通孔（スリット）
９  丸孔
３６  第１のガイド部材（位置決め部）
４２ａ  底面（表面）
４４，４４ａ，４４ｂ  突起（第３突起）
１００  圧接端子
１２０  コネクタ
１５０  圧接装置
２０１  圧接装置
２０３  ジョイントコネクタ
２０７，２０７ａ，２０７ｂ  切欠き（スリット）
２０８，２０８ａ，２０８ｂ  貫通孔（スリット）
２０９  丸孔
２２１  ジョイント用圧接端子
２２９  電線ガイド部材（位置決め部）
２３５，２３５ａ，２３５ｂ  突起（第３突起）
２３６ａ  底面（表面）
２４０  突出ピン（第２突出ピン）
２４１，２４１ａ，２４１ｂ  突起（第３突起）
２４５ａ  底面（表面）
２７０  ランプユニット（コネクタ）
２７３  バスバ（圧接端子）
３００  配線用クリップ（外装品）
３０１  本体部
３０４ａ  表面
３０６  突起
３５０  布線板
３５２  結き具
３５３  ケーブル位置決め治具（位置決め部材）
３５４  外装品取り付け用治具（位置決め部材）
３５８，３５８ａ，３５８ｂ  突起（第２突起）
３５９  突出ピン（突出ピン）
３６１ａ  表面
３６３，３６３ａ，３６３ｂ  突起（第２突起）
３６４  突出ピン（突出ピン）
３６６ａ  表面
【図１】
2004158308.tif 000003
【図２】
2004158308.tif 000004
【図３】
2004158308.tif 000005
【図４】
2004158308.tif 000006
【図５】
2004158308.tif 000007
【図６】
2004158308.tif 000008
【図７】
2004158308.tif 000009
【図８】
2004158308.tif 000010
【図９】
2004158308.tif 000011
【図１０】
2004158308.tif 000012
【図１１】
2004158308.tif 000013
【図１２】
2004158308.tif 000014
【図１３】
2004158308.tif 000015
【図１４】
2004158308.tif 000016
【図１５】
2004158308.tif 000017
【図１６】
2004158308.tif 000018
【図１７】
2004158308.tif 000019
【図１８】
2004158308.tif 000020
【図１９】
2004158308.tif 000021
【図２０】
2004158308.tif 000022
【図２１】
2004158308.tif 000023
【図２２】
2004158308.tif 000024
【図２３】
2004158308.tif 000025
【図２４】
2004158308.tif 000026
【図２５】
2004158308.tif 000027
【図２６】
2004158308.tif 000028
【図２７】
2004158308.tif 000029
【図２８】
2004158308.tif 000030
【図２９】
2004158308.tif 000031
【図３０】
2004158308.tif 000032
【図３１】
2004158308.tif 000033
【図３２】
2004158308.tif 000034
【図３３】
2004158308.tif 000035
【図３４】
2004158308.tif 000036
【図３５】
2004158308.tif 000037
【図３６】
2004158308.tif 000038
【図３７】
2004158308.tif 000039
【図３８】
2004158308.tif 000040
【図３９】
2004158308.tif 000041
【図４０】
2004158308.tif 000042
【図４１】
2004158308.tif 000043
【図４２】
2004158308.tif 000044
【図４３】
2004158308.tif 000045
【図４４】
2004158308.tif 000046
【図４５】
2004158308.tif 000047
【図４６】
2004158308.tif 000048
【図４７】
2004158308.tif 000049
【図４８】
2004158308.tif 000050
【図４９】
2004158308.tif 000051
【図５０】
2004158308.tif 000052
【図５１】
2004158308.tif 000053
【図５２】
2004158308.tif 000054
【図５３】
2004158308.tif 000055
【図５４】
2004158308.tif 000056
【図５５】
2004158308.tif 000057
【図５６】
2004158308.tif 000058
【図５７】
2004158308.tif 000059
【図５８】
2004158308.tif 000060
【図５９】
2004158308.tif 000061
【図６０】
2004158308.tif 000062
【図６１】
2004158308.tif 000063
【図６２】
2004158308.tif 000064
【図６３】
2004158308.tif 000065
【図６４】
2004158308.tif 000066
【図６５】
2004158308.tif 000067
【図６６】
2004158308.tif 000068
【図６７】
2004158308.tif 000069
【図６８】
2004158308.tif 000070